(57)【要約】  ワイヤレス通信のための方法、システム、およびデバイスが説明される。アップリンク送信をトリガするために使用されるダウンリンク制御メッセージタイプは、アップリンク送信のタイミングを含む追加の情報を搬送し得る。アップリンク送信をトリガするために使用される制御チャネルのタイプまたはフォーマット(たとえば、物理ダウンリンク制御チャネル(PDCCH)のタイプまたはフォーマット)も、アップリンク送信の開始時間または期間を、またはそれらの両方を示し得る。いくつかの場合、ダウンリンク制御情報(DCI)は、DCIを含むダウンリンク制御メッセージの機能を示し得る。加えて、ダウンリンク制御メッセージにおいて特定されるシステム情報は、いくつかの例では、発見基準信号(DRS)サブフレームを監視するかどうか、またはどれだけ長く監視するかを決定するために使用され得る、サブフレーム長を決定するために使用され得る。
2019515537.tif 000002
【特許請求の範囲】
【請求項１】
ワイヤレス通信の方法であって、
共有無線周波数スペクトル帯域のリソースの第1のセットを使用して、ダウンリンク(DL)制御メッセージを受信するステップと、
前記DL制御メッセージのダウンリンク制御情報(DCI)を特定するステップと、
前記DCIに少なくとも一部基づいて、前記DL制御メッセージの機能を決定するステップと
を備え、前記DL制御メッセージの前記機能がアップリンク送信のトリガまたはフレーム構造の指示のうちの少なくとも1つを備える、方法。
【請求項２】
前記DL制御メッセージの制御チャネルタイプを特定するステップと、
前記制御チャネルタイプに少なくとも一部基づいて、アップリンク(UL)送信の開始時間を決定するステップと
をさらに備える、請求項1に記載の方法。
【請求項３】
ユーザ機器(UE)能力と前記制御チャネルタイプの一方または両方に少なくとも一部基づいて、前記UL送信の期間を決定するステップをさらに備える、請求項2に記載の方法。
【請求項４】
前記期間の間にULメッセージを送信するステップをさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項3に記載の方法。
【請求項５】
前記DL制御メッセージを受信する前に物理アップリンク共有チャネル(PUSCH)送信のためのグラントを受信するステップをさらに備える、請求項1に記載の方法。
【請求項６】
クロスTxOPグラントを受信するステップであって、前記DL制御メッセージの前記機能がクロスTxOPグラントのトリガであり、前記クロスTxOPグラントが前記クロスTxOPグラントのトリガの前に受信される、ステップと、
前記クロスTxOPグラントおよび前記クロスTxOPグラントのトリガに応答してULメッセージを送信するステップと
をさらに備える、請求項1に記載の方法。
【請求項７】
前記クロスTxOPグラントのトリガの位置を示すクロスTxOP構成を受信するステップをさらに備える、請求項6に記載の方法。
【請求項８】
前記クロスTxOPグラントのトリガが、前記DL制御メッセージの単一のビットを備える、請求項6に記載の方法。
【請求項９】
前記クロスTxOPグラントのトリガが、複数のクロスTxOPグラントに対応する前記DL制御メッセージの複数のビットを備える、請求項6に記載の方法。
【請求項１０】
前記DL制御メッセージが、共通物理ダウンリンク制御チャネル(C-PDCCH)である、請求項1に記載の方法。
【請求項１１】
前記アップリンク送信のトリガまたは前記フレーム構造の指示のうちの前記少なくとも1つが、短物理アップリンク制御チャネル(sPUCCH)のトリガ、増強PUCCH(ePUCCH)のトリガ、またはクロス送信機会(TxOP)グラントのトリガのうちの少なくとも1つを備える、請求項1に記載の方法。
【請求項１２】
ワイヤレス通信の方法であって、
ダウンリンク(DL)制御メッセージの機能を構成するステップであって、前記DL制御メッセージの前記機能がアップリンク送信のトリガまたはフレーム構造の指示のうちの少なくとも1つを備える、ステップと、
前記DL制御メッセージの前記機能に少なくとも一部基づいて、前記DL制御メッセージのダウンリンク制御情報(DCI)を選択するステップと、
共有無線周波数スペクトル帯域のリソースの第1のセットを使用して、前記DL制御メッセージを送信するステップと
を備える、方法。
【請求項１３】
前記DL制御メッセージの制御チャネルタイプを特定するステップと、
前記制御チャネルタイプに少なくとも一部基づいて、アップリンク(UL)送信の開始時間を決定するステップと
をさらに備える、請求項12に記載の方法。
【請求項１４】
ユーザ機器(UE)能力と前記制御チャネルタイプの一方または両方に少なくとも一部基づいて、前記UL送信の期間を決定するステップをさらに備える、請求項13に記載の方法。
【請求項１５】
前記期間の間にULメッセージを受信するステップをさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項14に記載の方法。
【請求項１６】
前記DL制御メッセージを送信する前に物理アップリンク共有チャネル(PUSCH)送信のためのグラントを送信するステップをさらに備える、請求項12に記載の方法。
【請求項１７】
クロスTxOPグラントを送信するステップであって、前記DL制御メッセージの前記機能がクロスTxOPグラントのトリガであり、前記クロスTxOPグラントが前記クロスTxOPグラントのトリガの前に送信される、ステップと、
前記クロスTxOPグラントおよび前記クロスTxOPグラントのトリガに応答してアップリンク(UL)メッセージを受信するステップと
をさらに備える、請求項12に記載の方法。
【請求項１８】
前記クロスTxOPグラントのトリガの位置を示すクロスTxOP構成を送信するステップをさらに備える、請求項17に記載の方法。
【請求項１９】
前記クロスTxOPグラントのトリガが、前記DL制御メッセージの単一のビットを備える、請求項17に記載の方法。
【請求項２０】
前記クロスTxOPグラントのトリガが、複数のクロスTxOPグラントに対応する前記DL制御メッセージの複数のビットを備える、請求項17に記載の方法。
【請求項２１】
前記DL制御メッセージが、共通物理ダウンリンク制御チャネル(C-PDCCH)である、請求項12に記載の方法。
【請求項２２】
前記アップリンク送信のトリガまたは前記フレーム構造の指示のうちの前記少なくとも1つが、短物理アップリンク制御チャネル(sPUCCH)のトリガ、増強PUCCH(ePUCCH)のトリガ、またはクロス送信機会(TxOP)グラントのトリガのうちの少なくとも1つを備える、請求項12に記載の方法。
【請求項２３】
ワイヤレス通信のための装置であって、
共有無線周波数スペクトル帯域のリソースの第1のセットを使用して、ダウンリンク(DL)制御メッセージを受信するための手段と、
前記DL制御メッセージのダウンリンク制御情報(DCI)を特定するための手段と、
前記DCIに少なくとも一部基づいて、前記DL制御メッセージの機能を決定するための手段と
を備え、前記DL制御メッセージの前記機能がアップリンク送信のトリガまたはフレーム構造の指示のうちの少なくとも1つを備える、装置。
【請求項２４】
前記DL制御メッセージの制御チャネルタイプを特定するための手段と、
前記制御チャネルタイプに少なくとも一部基づくアップリンク(UL)送信の開始時間と、ユーザ機器(UE)能力および前記制御チャネルタイプの一方または両方に少なくとも一部基づく前記UL送信の期間との、一方または両方を決定するための手段と
をさらに備える、請求項23に記載の装置。
【請求項２５】
前記期間の間にULメッセージを送信するための手段をさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項24に記載の装置。
【請求項２６】
クロスTxOPグラントを受信するための手段であって、前記DL制御メッセージの前記機能がクロスTxOPグラントのトリガであり、前記クロスTxOPグラントを受信するための前記手段が前記クロスTxOPグラントのトリガの前に前記クロスTxOPグラントを受信するように動作可能である、手段と、
前記クロスTxOPグラントおよび前記クロスTxOPグラントのトリガに応答してULメッセージを送信するための手段と
をさらに備える、請求項23に記載の装置。
【請求項２７】
ワイヤレス通信のための装置であって、
ダウンリンク(DL)制御メッセージの機能を構成するための手段であって、前記DL制御メッセージの前記機能がアップリンク送信のトリガまたはフレーム構造の指示のうちの少なくとも1つを備える、手段と、
前記DL制御メッセージの前記機能に少なくとも一部基づいて、前記DL制御メッセージのダウンリンク制御情報(DCI)を選択するための手段と、
共有無線周波数スペクトル帯域のリソースの第1のセットを使用して、前記DL制御メッセージを送信するための手段と
を備える、装置。
【請求項２８】
前記DL制御メッセージの制御チャネルタイプを特定するための手段と、
前記制御チャネルタイプに少なくとも一部基づくアップリンク(UL)送信の開始時間と、ユーザ機器(UE)能力および前記制御チャネルタイプの一方または両方に少なくとも一部基づく前記UL送信の期間との、一方または両方を決定するための手段と
をさらに備える、請求項27に記載の装置。
【請求項２９】
前記期間の間にULメッセージを受信するための手段をさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項28に記載の装置。
【請求項３０】
クロスTxOPグラントを送信するための手段であって、前記DL制御メッセージの前記機能がクロスTxOPグラントのトリガであり、前記クロスTxOPグラントを送信するための前記手段が前記クロスTxOPグラントのトリガの前に前記クロスTxOPグラントを送信するように動作可能である、手段と、
前記クロスTxOPグラントおよび前記クロスTxOPグラントのトリガに応答してアップリンク(UL)メッセージを受信するための手段と
をさらに備える、請求項27に記載の装置。
【発明の詳細な説明】
【技術分野】
【０００１】
相互参照
本特許出願は、各々が本出願の譲受人に譲渡される、2017年4月20日に出願された「Frame Structure Signaling for Multefire」と題する、Chendamarai Kannanらによる米国特許出願第15/492,457号、および2016年4月22日に出願された「Frame Structure Signaling for Multefire」と題する、Chendamarai Kannanらによる米国仮特許出願第62/326,702号の優先権を主張するものである。
【０００２】
以下は、全般にワイヤレス通信に関し、より具体的には、MulteFireのためのフレーム構造シグナリングに関する。
【背景技術】
【０００３】
ワイヤレス通信システムは、音声、ビデオ、パケットデータ、メッセージング、放送などの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。ワイヤレス多元接続通信システムは、各々ユーザ機器(UE)と呼ばれることがある複数の通信デバイスのための通信を各々が同時にサポートする、いくつかの基地局を含み得る。
【０００４】
無線周波数スペクトルの免許不要帯域を使用するものを含む、一部のシステムでは、ワイヤレス媒体へのUEのアクセス可能性は、他のデバイスまたは重複するシステムによる使用に依存し得る。無線周波数スペクトルの免許帯域を利用するシステムとは異なり、正確なスケジューリングが難しいことがある。同様に、以前にスケジューリングされた、または別様に計画された送信のタイミングが、予想されないまたは検出不可能な遅延を受けることがある。
【発明の概要】
【課題を解決するための手段】
【０００５】
アップリンク送信のタイミングを含む、フレーム構造を示すために使用されるダウンリンク制御メッセージタイプ、システムは無線周波数スペクトルの免許不要帯域または共有帯域上で動作する。たとえば、アップリンク送信をトリガするために使用されるダウンリンク制御メッセージは、アップリンク送信のタイミングを含む追加の情報を搬送し得る。アップリンク送信をトリガするために使用される制御チャネルのタイプまたはフォーマット(たとえば、物理ダウンリンク制御チャネル(PDCCH)のタイプまたはフォーマット)も、アップリンク送信の開始時間または期間を、またはそれらの両方を示し得る。いくつかの場合、ダウンリンク制御情報(DCI)は、DCIを含むダウンリンク制御メッセージの機能を示し得る。加えて、ダウンリンク制御メッセージにおいて特定されるシステム情報は、いくつかの例では、発見基準信号(DRS)サブフレームを監視するかどうか、またはどれだけ長く監視するかを決定するために使用され得る、サブフレーム長を決定するために使用され得る。
【０００６】
ワイヤレス通信の方法が説明される。方法は、共有無線周波数スペクトル帯域のリソースの第1のセットを使用してダウンリンク(DL)制御メッセージを受信するステップと、DL制御メッセージのDCIを特定するステップと、DL制御メッセージの制御チャネルタイプに基づいてアップリンク(UL)送信の開始時間および期間を決定するステップと、共有無線周波数スペクトル帯域のリソースの第1のセットまたはリソースの第2のセットを使用してその期間の間ULメッセージを送信するステップとを含み得る。
【０００７】
ワイヤレス通信のための装置が説明される。装置は、共有無線周波数スペクトル帯域のリソースの第1のセットを使用してDL制御メッセージを受信するための手段と、DL制御メッセージの制御チャネルタイプを特定するための手段と、DL制御メッセージの制御チャネルタイプに基づいてUL送信の開始時間および期間を決定するための手段と、共有無線周波数スペクトル帯域のリソースの第1のセットまたはリソースの第2のセットを使用してその期間の間ULメッセージを送信するための手段とを含み得る。
【０００８】
さらなる装置が説明される。装置は、プロセッサと、プロセッサと電気的に通信しているメモリと、メモリに記憶された命令とを含み得る。命令は、装置に、共有無線周波数スペクトル帯域のリソースの第1のセットを使用してDL制御メッセージを受信させ、DL制御メッセージの制御チャネルタイプを特定させ、DL制御メッセージの制御チャネルタイプに基づいてUL送信の開始時間および期間を決定させ、共有無線周波数スペクトル帯域のリソースの第1のセットまたはリソースの第2のセットを使用してその期間の間ULメッセージを送信させるように動作可能であり得る。
【０００９】
ワイヤレス通信のための非一時的コンピュータ可読媒体が説明される。非一時的コンピュータ可読媒体は、プロセッサに、共有無線周波数スペクトル帯域のリソースの第1のセットを使用してDL制御メッセージを受信させ、DL制御メッセージの制御チャネルタイプを特定させ、DL制御メッセージの制御チャネルタイプに基づいてUL送信の開始時間および期間を決定させ、共有無線周波数スペクトル帯域のリソースの第1のセットまたはリソースの第2のセットを使用してその期間の間ULメッセージを送信させるための命令を含み得る。
【００１０】
上で説明された方法、装置、および非一時的コンピュータ可読媒体のいくつかの例では、制御チャネルタイプを特定することは、DL制御メッセージがPDCCHタイプであるかePDCCHであるかを決定することを含み得る。
【００１１】
上で説明された方法、装置、および非一時的コンピュータ可読媒体のいくつかの例はさらに、UE能力および制御チャネルタイプの一方または両方に基づいてUL送信の期間を決定するためのプロセス、特徴、手段、または命令を含み得る。上で説明された方法、装置、または非一時的コンピュータ可読媒体のいくつかの例では、この期間は、DL制御メッセージにより占有される制御シンボルの数に基づいて決定され得る。
【００１２】
上で説明された方法、装置、または非一時的コンピュータ可読媒体のいくつかの例では、ULメッセージは、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを含み得る。上で説明された方法、装置、または非一時的コンピュータ可読媒体のいくつかの例はさらに、DL制御メッセージを受信する前にPUSCH送信のためのグラントを受信するためのプロセス、特徴、手段、または命令を含み得る。上で説明された方法、装置、または非一時的コンピュータ可読媒体のいくつかの例では、DL制御メッセージは、共通PDCCH(C-PDCCH)であり得る。
【００１３】
ワイヤレス通信のための別の方法が説明される。方法は、共有無線周波数スペクトル帯域のリソースの第1のセットを使用してDL制御メッセージを受信するステップと、DL制御メッセージのDCIを特定するステップと、DCIに少なくとも一部基づいてDL制御メッセージの機能を決定するステップとを含むことがあり、DL制御メッセージの機能は、アップリンク送信のトリガまたはフレーム構造の指示のうちの少なくとも1つを備える。
【００１４】
ワイヤレス通信のための別の装置が説明される。装置は、共有無線周波数スペクトル帯域のリソースの第1のセットを使用してDL制御メッセージを受信するための手段と、DL制御メッセージのDCIを特定するための手段と、DCIに少なくとも一部基づいてDL制御メッセージの機能を決定するための手段とを含むことがあり、DL制御メッセージの機能は、アップリンク送信のトリガまたはフレーム構造の指示のうちの少なくとも1つを備える。
【００１５】
ワイヤレス通信のための別の装置が説明される。装置は、プロセッサと、プロセッサと電気的に通信しているメモリと、メモリに記憶された命令とを含み得る。命令は、プロセッサに、共有無線周波数スペクトル帯域のリソースの第1のセットを使用してDL制御メッセージを受信させ、DL制御メッセージのDCIを特定させ、DCIに基づいてDL制御メッセージの機能を決定させるように動作可能であることがあり、DL制御メッセージの機能は、アップリンク送信のトリガまたはフレーム構造の指示のうちの少なくとも1つを備える。
【００１６】
ワイヤレス通信のための別の非一時的コンピュータ可読媒体が説明される。非一時的コンピュータ可読媒体は、プロセッサに、共有無線周波数スペクトル帯域のリソースの第1のセットを使用してDL制御メッセージを受信させ、DL制御メッセージのDCIを特定させ、DCIに少なくとも一部基づいてDL制御メッセージの機能を決定させるように動作可能である命令を含むことがあり、DL制御メッセージの機能は、アップリンク送信のトリガまたはフレーム構造の指示のうちの少なくとも1つを備える。
【００１７】
いくつかの例では、アップリンク送信のトリガまたはフレーム構造の指示のうちの少なくとも1つは、短物理アップリンク制御チャネル(sPUCCH)のトリガ、増強PUCCH(ePUCCH)のトリガ、またはクロス送信機会(TxOP)グラントのトリガのうちの少なくとも1つを備える。
【００１８】
上で説明された方法、装置、および非一時的コンピュータ可読媒体のいくつかの例はさらに、DCIフォーマットと関連付けられる復号仮説(decoding hypothesis)を特定するためのプロセス、特徴、手段、または命令を含み得る。上で説明された方法、装置、または非一時的コンピュータ可読媒体のいくつかの例はさらに、DL制御メッセージが復号仮説と関連付けられるブラインド復号確認に合格したかどうかを決定するためのプロセス、特徴、手段、または命令を含むことがあり、DL制御メッセージの機能は、DL制御メッセージがブラインド復号確認に合格したという決定に基づいて決定され得る。
【００１９】
上で説明された方法、装置、および非一時的コンピュータ可読媒体のいくつかの例はさらに、DCIの第1の部分を復号するためのプロセス、特徴、手段、または命令を含むことがあり、DL制御メッセージの機能を決定することは、DCIの第1の部分に基づいてDCIの第2の部分を解釈することを含み得る。
【００２０】
上で説明された方法、装置、および非一時的コンピュータ可読媒体のいくつかの例はさらに、クロスTxOPグラントを受信するためのプロセス、特徴、手段、または命令を含むことがあり、DL制御メッセージの機能はクロスTxOPグラントのトリガであることがあり、クロスTxOPグラントはクロスTxOPグラントのトリガの前に受信される。上で説明された方法、装置、または非一時的コンピュータ可読媒体のいくつかの例はさらに、クロスTxOPグラントおよびクロスTxOPグラントのトリガに応答してULメッセージを送信するためのプロセス、特徴、手段、または命令を含み得る。
【００２１】
上で説明された方法、装置、および非一時的コンピュータ可読媒体のいくつかの例はさらに、クロスTxOPグラントのトリガの位置を示すクロスTxOP構成を受信するためのプロセス、特徴、手段、または命令を含み得る。
【００２２】
上で説明された方法、装置、および非一時的コンピュータ可読媒体のいくつかの例では、クロスTxOPグラントのトリガは、DL制御メッセージの単一のビットを含み得る。上で説明された方法、装置、および非一時的コンピュータ可読媒体のいくつかの例では、クロスTxOPグラントのトリガは、クロスTxOPグラントのセットに対応するDL制御メッセージのビットのセットを含み得る。
【００２３】
ワイヤレス通信の別の方法が説明される。方法は、サブフレームの間にシステム情報メッセージを受信するステップと、システム情報メッセージに基づいてDRSサブフレームの時間長を決定するステップと、DRSサブフレームの時間長の間DRSを監視するステップとを含み得る。
【００２４】
ワイヤレス通信のための別の装置が説明される。装置は、サブフレームの間にシステム情報メッセージを受信するための手段と、システム情報メッセージに基づいてDRSサブフレームの時間長を決定するための手段と、DRSサブフレームの時間長の間DRSを監視するための手段とを含み得る。
【００２５】
別の装置が説明される。装置は、プロセッサと、プロセッサと電気的に通信しているメモリと、メモリに記憶された命令とを含み得る。命令は、装置に、サブフレームの間にシステム情報メッセージを受信させ、システム情報メッセージに基づいてDRSサブフレームの時間長を決定させ、DRSサブフレームの時間長の間DRSを監視させるように動作可能であり得る。
【００２６】
ワイヤレス通信のための別の非一時的コンピュータ可読媒体が説明される。非一時的コンピュータ可読媒体は、プロセッサに、サブフレームの間にシステム情報メッセージを受信させ、システム情報メッセージに基づいてDRSサブフレームの時間長を決定させ、DRSサブフレームの時間長の間DRSを監視させるための命令を含み得る。
【００２７】
ワイヤレス通信の別の方法が説明される。方法は、DL制御メッセージの制御チャネルタイプを特定するステップと、共有無線周波数スペクトル帯域のリソースの第1のセットを使用してDL制御メッセージを送信するステップと、DL制御メッセージの制御チャネルタイプに基づいてUL送信の開始時間および期間を決定するステップと、共有無線周波数スペクトル帯域のリソースの第1のセットまたはリソースの第2のセットを使用してその期間の間ULメッセージを受信するステップとを含み得る。
【００２８】
ワイヤレス通信のための別の装置が説明される。装置は、DL制御メッセージの制御チャネルタイプを特定するための手段と、共有無線周波数スペクトル帯域のリソースの第1のセットを使用してDL制御メッセージを送信するための手段と、DL制御メッセージの制御チャネルタイプに基づいてUL送信の開始時間および期間を決定するための手段と、共有無線周波数スペクトル帯域のリソースの第1のセットまたはリソースの第2のセットを使用してその期間の間ULメッセージを受信するための手段とを含み得る。
【００２９】
別の装置が説明される。装置は、プロセッサと、プロセッサと電気的に通信しているメモリと、メモリに記憶された命令とを含み得る。命令は、装置に、DL制御メッセージの制御チャネルタイプを特定させ、共有無線周波数スペクトル帯域のリソースの第1のセットを使用してDL制御メッセージを送信させ、DL制御メッセージの制御チャネルタイプに基づいてUL送信の開始時間および期間を決定させ、共有無線周波数スペクトル帯域のリソースの第1のセットまたはリソースの第2のセットを使用してその期間の間ULメッセージを受信させるように動作可能であり得る。
【００３０】
ワイヤレス通信のための別の非一時的コンピュータ可読媒体が説明される。非一時的コンピュータ可読媒体は、プロセッサに、DL制御メッセージの制御チャネルタイプを特定させ、共有無線周波数スペクトル帯域のリソースの第1のセットを使用してDL制御メッセージを送信させ、DL制御メッセージの制御チャネルタイプに基づいてUL送信の開始時間および期間を決定させ、共有無線周波数スペクトル帯域のリソースの第1のセットまたはリソースの第2のセットを使用してその期間の間ULメッセージを受信させるための命令を含み得る。
【００３１】
上で説明された方法、装置、および非一時的コンピュータ可読媒体のいくつかの例では、制御チャネルタイプを特定することは、DL制御メッセージがPDCCHタイプであるかePDCCHであるかを決定することを含み得る。上で説明された方法、装置、または非一時的コンピュータ可読媒体のいくつかの例では、この期間は、UE能力に基づいて決定され得る。上で説明された方法、装置、または非一時的コンピュータ可読媒体のいくつかの例では、この期間は、DL制御メッセージにより占有される制御シンボルの数に基づいて決定され得る。
【００３２】
上で説明された方法、装置、および非一時的コンピュータ可読媒体のいくつかの例では、ULメッセージは、PUCCHメッセージ、sPUCCHメッセージ、ePUCCHメッセージ、以前のDL送信に対応するACKメッセージ、またはPUSCHメッセージのうちの少なくとも1つを備える。
【００３３】
上で説明された方法、装置、および非一時的コンピュータ可読媒体のいくつかの例はさらに、DL制御メッセージを送信する前にPUSCH送信のためのグラントを送信するためのプロセス、特徴、手段、または命令を含み得る。上で説明された方法、装置、および非一時的コンピュータ可読媒体のいくつかの例では、DL制御メッセージはC-PDCCHであり得る。
【００３４】
ワイヤレス通信のための別の方法が説明される。方法は、DL制御メッセージの機能を構成するステップであって、DL制御メッセージの機能がアップリンク送信のトリガまたはフレーム構造の指示のうちの少なくとも1つを備える、ステップと、DL制御メッセージの機能に基づいてDL制御メッセージのDCIを選択するステップと、共有無線周波数スペクトル帯域のリソースの第1のセットを使用してDL制御メッセージを送信するステップとを含み得る。
【００３５】
ワイヤレス通信のための別の装置が説明される。装置は、DL制御メッセージの機能を構成するための手段であって、DL制御メッセージの機能がアップリンク送信のトリガまたはフレーム構造の指示のうちの少なくとも1つを備える、手段と、DL制御メッセージの機能に基づいてDL制御メッセージのDCIを選択するための手段と、共有無線周波数スペクトル帯域のリソースの第1のセットを使用してDL制御メッセージを送信するための手段とを含み得る。
【００３６】
ワイヤレス通信のための別の装置が説明される。装置は、プロセッサと、プロセッサと電気的に通信しているメモリと、メモリに記憶された命令とを含み得る。命令は、プロセッサに、DL制御メッセージの機能を構成させ、DL制御メッセージの機能がアップリンク送信のトリガまたはフレーム構造の指示のうちの少なくとも1つを備え、DL制御メッセージの機能に基づいてDL制御メッセージのDCIを選択させ、共有無線周波数スペクトル帯域のリソースの第1のセットを使用してDL制御メッセージを送信させるように動作可能であり得る。
【００３７】
ワイヤレス通信のための別の非一時的コンピュータ可読媒体が説明される。非一時的コンピュータ可読媒体は、プロセッサに、DL制御メッセージの機能を構成させ、DL制御メッセージの機能がアップリンク送信のトリガまたはフレーム構造の指示のうちの少なくとも1つを備え、DL制御メッセージの機能に基づいてDL制御メッセージのDCIを選択させ、共有無線周波数スペクトル帯域のリソースの第1のセットを使用してDL制御メッセージを送信させるように動作可能な命令を含み得る。
【００３８】
いくつかの例では、アップリンク送信のトリガまたはフレーム構造の指示のうちの少なくとも1つは、短物理アップリンク制御チャネル(sPUCCH)のトリガ、増強PUCCH(ePUCCH)のトリガ、またはクロス送信機会(TxOP)グラントのトリガのうちの少なくとも1つを備える。
【００３９】
上で説明された方法、装置、および非一時的コンピュータ可読媒体のいくつかの例はさらに、クロスTxOPグラントを送信するためのプロセス、特徴、手段、または命令を含むことがあり、DL制御メッセージの機能はクロスTxOPグラントのトリガであることがあり、クロスTxOPグラントはクロスTxOPグラントのトリガの前に送信され得る。上で説明された方法、装置、および非一時的コンピュータ可読媒体のいくつかの例はさらに、クロスTxOPグラントおよびクロスTxOPグラントのトリガに応答してULメッセージを受信するためのプロセス、特徴、手段、または命令を含み得る。
【００４０】
上で説明された方法、装置、および非一時的コンピュータ可読媒体のいくつかの例はさらに、クロスTxOPグラントのトリガの位置を示すクロスTxOP構成を送信するためのプロセス、特徴、手段、または命令を含み得る。上で説明された方法、装置、および非一時的コンピュータ可読媒体のいくつかの例では、クロスTxOPグラントのトリガは、DL制御メッセージの単一のビットを含み得る。上で説明された方法、装置、および非一時的コンピュータ可読媒体のいくつかの例では、クロスTxOPグラントのトリガは、クロスTxOPグラントのセットに対応するDL制御メッセージのビットのセットを含み得る。
【００４１】
ワイヤレス通信の別の方法が説明される。方法は、監視されるべきDRSサブフレームの時間長を特定するステップと、システム情報メッセージの中のDRSサブフレームの時間長の指示を送信するステップと、DRSサブフレームの時間長の間DRSを送信するステップとを含み得る。
【００４２】
ワイヤレス通信のための別の装置が説明される。装置は、監視されるべきDRSサブフレームの時間長を特定するための手段と、システム情報メッセージの中のDRSサブフレームの時間長の指示を送信するための手段と、DRSサブフレームの時間長の間DRSを送信するための手段とを含み得る。
【００４３】
別の装置が説明される。装置は、プロセッサと、プロセッサと電気的に通信しているメモリと、メモリに記憶された命令とを含み得る。命令は、装置に、監視されるべきDRSサブフレームの時間長を特定させ、システム情報メッセージの中のDRSサブフレームの時間長の指示を送信させ、DRSサブフレームの時間長の間DRSを送信させるように動作可能であり得る。
【００４４】
ワイヤレス通信のための別の非一時的コンピュータ可読媒体が説明される。非一時的コンピュータ可読媒体は、プロセッサに、監視されるべきDRSサブフレームの時間長を特定させ、システム情報メッセージの中のDRSサブフレームの時間長の指示を送信させ、DRSサブフレームの時間長の間DRSを送信させるための命令を含み得る。
【図面の簡単な説明】
【００４５】
【図１】本開示の態様による、MulteFireのためのフレーム構造シグナリングをサポートするワイヤレス通信システムの例を示す図である。
【図２】本開示の態様による、MulteFireのためのフレーム構造シグナリングをサポートするシステムにおけるプロセスフローの例を示す図である。
【図３】本開示の態様による、MulteFireのためのフレーム構造シグナリングをサポートするシステムにおけるプロセスフローの例を示す図である。
【図４】本開示の態様による、MulteFireのためのフレーム構造シグナリングをサポートするシステムにおけるプロセスフローの例を示す図である。
【図５】本開示の態様による、MulteFireのためのフレーム構造シグナリングをサポートするワイヤレスデバイスのブロック図である。
【図６】本開示の態様による、MulteFireのためのフレーム構造シグナリングをサポートするワイヤレスデバイスのブロック図である。
【図７】本開示の態様による、MulteFireのためのフレーム構造シグナリングをサポートするワイヤレスデバイスのブロック図である。
【図８】本開示の態様による、MulteFireのためのフレーム構造シグナリングをサポートするUEを含むシステムのブロック図である。
【図９】本開示の態様による、MulteFireのためのフレーム構造シグナリングをサポートするワイヤレスデバイスのブロック図である。
【図１０】本開示の態様による、MulteFireのためのフレーム構造シグナリングをサポートするワイヤレスデバイスのブロック図である。
【図１１】本開示の態様による、MulteFireのためのフレーム構造シグナリングをサポートするワイヤレスデバイスのブロック図である。
【図１２】本開示の態様による、MulteFireのためのフレーム構造シグナリングをサポートする基地局を含むシステムのブロック図である。
【図１３】本開示の態様による、MulteFireのためのフレーム構造シグナリングの方法を示す図である。
【図１４】本開示の態様による、MulteFireのためのフレーム構造シグナリングの方法を示す図である。
【図１５】本開示の態様による、MulteFireのためのフレーム構造シグナリングの方法を示す図である。
【図１６】本開示の態様による、MulteFireのためのフレーム構造シグナリングの方法を示す図である。
【図１７】本開示の態様による、MulteFireのためのフレーム構造シグナリングの方法を示す図である。
【図１８】本開示の態様による、MulteFireのためのフレーム構造シグナリングの方法を示す図である。
【発明を実施するための形態】
【００４６】
フレーム構造をユーザ機器(UE)に示すために、ダウンリンク制御チャネルを使用することができ、このことは、UEが別の(たとえば、前の)グラントにおいて割り当てられるリソースを使用してアップリンクメッセージをいつ送信するかを決定することを可能にし得る。たとえば、UEは1つの送信機会(TxOP)の間にアップリンクグラントを受信することがあり、そのグラントは後続のTxOPにおいてリソースを割り当てることがある。これはクロスTxOPグラントと呼ばれることがある。後続のTxOPは、グラントが受信されたTxOPの直後にないことがある。たとえば、後続のTxOPは前のTxOPから時間的に分離されていることがあり、それは、UEおよび関連する基地局が、リソースをめぐってその中で他のデバイスと競合する共有スペクトルにおいて通信することがあるからである。後続のTxOPはまた、グラントが受信されたTxOPとは異なる構造(たとえば、ダウンリンク部分とアップリンク部分の異なる組合せまたは順序)を有し得る。よって、1つのTxOPの間に受信されるグラントは、後続のTxOPのリソースを割り当てることができ、後続のTxOPの間に受信される後続の制御メッセージは、後続のTxOPのフレーム構造を示すことができ、以前に受信されたグラントによって割り当てられる後続のTxOPのリソース上で送信するようにUEをトリガすることができる。後続の制御メッセージはいくつかのUEに共通のメッセージであり得る。
【００４７】
物理ダウンリンク制御チャネル(PDCCH)のタイプまたはPDCCHのフォーマットなどのダウンリンク制御チャネルの特性は、フレーム構造情報を示し得る。PDCCHまたは増強PDCCH(ePDCCH)が共通制御チャネルとして使用されるかどうかは、たとえば、アップリンク送信の開始時間または期間を示し得る。いくつかの場合、共通制御チャネルにおいて搬送されるダウンリンク制御情報(DCI)の態様は、共通制御チャネルによってフレーム構造情報が示され得るかどうか、またはどのタイプのフレーム構造情報が示され得るかを含む、共通制御チャネルの意図される機能を示し得る。
【００４８】
いくつかの例では、UEがダウンリンク送信を受信することとUEがアップリンク送信を開始することとの間の時間は、たとえばUE能力に加えて、フレーム構造に依存し得る。したがって、UEが制御チャネルを復号し、入来するサブフレームがたとえば、アップリンクであるか、ダウンリンクであるか、または特別なサブフレームであるかを、それに従って準備するために(たとえば、アップリンクサブフレーム上でクロスTxOPグラントを送信するために、肯定応答(ACK)/否定応答(NACK)を特別なサブフレーム上で送信するために、など)時間内に決定できるように、最小限の時間に対応するフレーム構造およびタイミングを、基地局がUEにシグナリングし得る。いくつかの場合、共通制御チャネルのタイミングはフレーム構造情報を示し得る。たとえば、UEは、共通物理ダウンリンク制御チャネル(C-PDCCH)トリガを搬送するサブフレームと、UEに宛てられる次の送信との間に使用されるべき、最小限の時間の長さを決定し得る。UEは、たとえば、UE能力、PDCCHのタイプ、およびPDCCHによって使用される制御シンボルの数を含む要因に基づいて、この最小限の時間の長さを決定し得る。
【００４９】
上で言及されたように、C-PDCCHは、異なる機能に対応し得る複数のフォーマットを有し得る。すなわち、C-PDCCHは、異なる機能(たとえば、短物理アップリンク制御チャネル(PUCCH)(sPUCCH)/増強PUCCH(ePUCCH)のトリガ、フレーム構造のシグナリングなど)と関連付けられる、異なるDCIフォーマット、無線ネットワーク一次識別子(RNTI)などを有し得る。いくつかの場合、C-PDCCHは、以前に出されたクロスTxOPグラントをトリガし得る。加えて、PDCCHのフォーマットは、サブフレームの長さを決定するために使用され得る。サブフレームの長さの知識は復号の信頼性を高め得る。
【００５０】
上で紹介された本開示の態様が、ワイヤレス通信システムの文脈において以下で説明される。MulteFireのためのフレーム構造シグナリングをサポートするワイヤレスシステムおよびプロセスフローの例が次いで説明される。本開示の態様がさらに、MulteFireのためのフレーム構造シグナリングに関する装置の図、システムの図、およびフローチャートによって示され、それらを参照して説明される。
【００５１】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、Long Term Evolution(LTE)/LTE-Advanced(LTE-A)ネットワークであり得る。たとえば、ワイヤレス通信システム100は、カバレッジエリアが重複した状態で動作する、LTE/LTE-Aネットワーク、MulteFireネットワーク、ニュートラルホストスモールセルネットワークなどを含み得る。
【００５２】
MulteFireネットワークは、たとえば免許周波数アンカーキャリアなしで、免許不要無線周波数スペクトル帯域において通信するアクセスポイント(AP)および/または基地局105を含み得る。たとえば、MulteFireネットワークは、免許帯域においてアンカーキャリアなしで動作し得る。ワイヤレス通信システム100は発見基準信号(DRS)送信および復号技法をサポートすることができ、このことは、たとえばシステム100内でのMulteFire通信の効率を高め得る。
【００５３】
基地局105は、1つまたは複数の基地局アンテナを介してUE115とワイヤレスに通信し得る。各基地局105は、それぞれの地理的カバレッジエリア110に通信カバレッジを提供し得る。ワイヤレス通信システム100に示されている通信リンク125は、UE115から基地局105へのアップリンク送信、または基地局105からUE115へのダウンリンク送信を含み得る。UE115は、ワイヤレス通信システム100全体にわたって分散されることがあり、各UE115は固定式または移動式であり得る。UE115は、移動局、加入者局、リモートユニット、ワイヤレスデバイス、アクセス端末(AT)、ハンドセット、ユーザエージェント、クライアント、または同様の用語で呼ばれることもある。UE115はまた、携帯電話、ワイヤレスモデム、ハンドヘルドデバイス、パーソナルコンピュータ、タブレット、パーソナル電子デバイス、マシンタイプ通信(MTC)デバイスなどであり得る。
【００５４】
基地局105は、コアネットワーク130および互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)互いと通信し得る。基地局105は、UE115との通信のための無線構成およびスケジューリングを実行することができ、または基地局コントローラ(図示せず)の制御下で動作することができる。いくつかの例では、基地局105は、マクロセル、スモールセル、ホットスポットなどであり得る。基地局105は、eNodeB(eNB)105とも呼ばれ得る。基地局105はMulteFire基地局105であることもあり、これは他の基地局105との限られたまたは非理想的なバックホールリンク134を有することがある。
【００５５】
いくつかの場合には、UE115または基地局105は、共有または免許不要無線周波数スペクトル帯域で動作し得る。これらのデバイスは、チャネルが利用可能であるかどうかを決定するために、通信する前にクリアチャネルアセスメント(CCA)を実行し得る。CCAは、任意の他のアクティブな送信があるかどうかを決定するためのエネルギー検出手順を含み得る。たとえば、デバイスは、電力メータの基準信号強度指示(RSSI)の変化が、チャネルが占有されていることを示すと推測し得る。具体的には、ある帯域幅に集中し、所定の雑音フロアを超える信号電力は、別のワイヤレス送信機がチャネルを使用している可能性があることを示し得る。CCAはまた、チャネルの使用を示す特定のシーケンスの検出を含み得る。たとえば、別のデバイスは、データシーケンスを送信する前に特定のプリアンブルを送信し得る。
【００５６】
免許スペクトルまたは免許不要スペクトルにおいて動作するUE115および基地局105は、無線接続を特定して確立するための情報を搬送するために、DRSを送信し得る。たとえば、DRSは、UE115がセルのタイミングおよび周波数範囲を特定することを可能にするための、一次同期信号および二次同期信号を含み得る。初期のセル同期を完了した後で、UE115はマスター情報ブロック(MIB)を復号し得る。MIBは、物理ブロードキャストチャネル(PBCH)上で送信されることがあり、各無線フレームの最初のサブフレームの2番目のスロットの最初の4個のOFDMAシンボルを利用することがある。MIBは、周波数領域では、中間の6個のリソースブロック(RB)(72本のサブキャリア)を使用し得る。MIBは、RBに関するDLチャネル帯域幅、物理ハイブリッド自動再送要求(HARQ)インジケータチャネル(PHICH)構成(時間長およびリソース割当て)、およびシステムフレーム番号(SFN)を含む、UEの初期アクセスのための少数の重要な情報を搬送する。新しいMIBは、4個の無線フレームごとに(SFN mod 4=0)ブロードキャストされ、フレームごとに(10ms)再ブロードキャストされ得る。各反復は、異なるスクランブリングコードでスクランブリングされ得る。
【００５７】
MIB(新しいバージョンまたはコピーのいずれか)を読み取った後、UE115は、巡回冗長検査(CRC)検査が成功するまで、スクランブリングコードの異なる位相を試み得る。スクランブリングコードの位相(0、1、2または3)は、UE115が、4つの反復のうちのどれが受信されたかを特定することを可能にし得る。このようにして、UE115は、復号された送信中のSFNを読み取り、スクランブリングコード位相を加算することによって、現在のSFNを決定し得る。
【００５８】
MIBを受信した後、UEは、1つまたは複数のシステム情報ブロック(SIB)を受信し得る。異なるSIBが、搬送されるシステム情報(SI)のタイプに従って定義されることがあり、それらは、免許周波数での動作もしくは免許不要周波数での動作のために、またはそれらの両方のために定義されることがある。いくつかの例では、一部のSIBはシステム100内でMulteFire方式のもとで動作するUE115によって使用され得るが、他のSIBは免許周波数上で動作するUE115によって使用され得る。
【００５９】
たとえば、免許周波数上で動作するUE115は、ネットワークにアクセスする前に、MIBに加えてSIB1およびSIB2を復号し得る。新たなSIB1は、8個のフレームごとに(SFN mod 8=0)第5のサブフレームの中で送信され、1つおきのフレームで(20ms)再ブロードキャストされ得る。SIB1は、セル識別(CID)情報を含むアクセス情報を含み、それは、UEが基地局105のセルにキャンプオンすることを許可されているかどうかを示し得る。SIB1はまた、セル選択情報(または、セル選択パラメータ)を含む。加えて、SIB1は、他のSIBのためのスケジューリング情報を含む。SIB2は、SIB1の中の情報に従って動的にスケジュールされることがあり、共通および共有チャネルに関するアクセス情報およびパラメータを含む。SIB2の周期性は、8個、16個、32個、64個、128個、256個、または512個の無線フレームに設定され得る。いくつかの場合、MIBとSIBの周期性および構成は、免許スペクトルにおいて動作するセルおよび免許不要スペクトルにおいて動作するセルに対して異なり得る。
【００６０】
システム100のMulteFire部分で動作するものを含む、免許不要周波数で動作するUE115に対して、UE115は増強SIB(eSIB)を復号し得る。eSIBは、(たとえば、PBCH上で)ブロードキャストされることがあり、一部のフィールドと等価なシステム情報または他のSIBに含まれる情報を含むことがある。たとえば、上で説明されたように、eSIBは、免許周波数での動作ではSIB1およびSIB2においても搬送され得る情報を含み得る。いくつかの場合、eSIBは、たとえば、いくつかのサブフレームがマルチメディアブロードキャスト単一周波数ネットワーク(MBSFN)サブフレームであるかどうかを含む、サブフレーム構成の指示を含み得る。eSIBは、セル取得の後にUE115に情報(たとえば、フレームタイプまたはサブフレーム構成)を迅速に提供できるので、免許不要動作をサポートすることができる。
【００６１】
上で論じられたように、共有無線周波数スペクトル帯域において動作するUE115は、タイミングなどの何らかの指示がないと、システムにおいて使用されるフレーム構造を容易に決定することが可能ではないことがある。システム100における時間間隔は、基本時間単位(たとえば、サンプリング周期、Ts=1/30,720,000秒)の倍数で表され得る。時間リソースは、0から1023にわたるSFNによって識別され得る、10ms(Tf=307200Ts)の長さの無線フレームに従って編成され得る。
【００６２】
各フレームは、0から9の番号を付けられた10個の1msサブフレームを含み得る。サブフレームはさらに、2つの0.5msスロットに分割されることがあり、スロットの各々は、(各シンボルの先頭に付加された巡回プレフィックスの長さに応じて)6個または7個の変調シンボル期間を含む。リソース要素は、1つのシンボル期間と1つのサブキャリア(15KHzの周波数範囲)とからなる。リソースブロックは、周波数領域の中に12個の連続サブキャリアを含むことがあり、各直交周波数分割多重化(OFDM)シンボル中のノーマル巡回プレフィックスについて、時間領域(1スロット)の中に7つの連続OFDMシンボル、または84個のリソース要素を含むことがある。
【００６３】
巡回プレフィックスを除いて、各シンボルは2048個のサンプル期間を含み得る。いくつかの場合、サブフレームは、送信時間間隔(TTI)としても知られる、最も小さいスケジューリングユニットであり得る。他の場合、TTIはサブフレームよりも短いことがあり、または(たとえば、短いTTIバーストにおいて、または短いTTIを使用する選択されたコンポーネントキャリアにおいて)動的に選択されることがある。サブフレームは、送信されるべき情報のタイプおよび方向に応じて、異なる構造を有し得る。サブフレームタイプは、アップリンク(UL)サブフレーム、ダウンリンク(DL)サブフレーム、または特別なサブフレームであり得る。特別なサブフレームは、ダウンリンク送信からアップリンク送信への切替えを容易にし得る。さらに、サブフレームの構造は長さに関して変化し得る。
【００６４】
他のフレーム構造もシステム100において利用され得る。いくつかの場合、システム100はTxOPによって編成されることがあり、TxOPは、上で説明されたフレーム構造に従って編成されることがあり、ワイヤレス媒体がシステム100内のデバイス(たとえば、UE115または基地局(またはeNB)105)に対して利用不可能であり得る期間によって分離されることがある。
【００６５】
本明細書で説明されるように、フレーム構造シグナリングは、通信の前にサブフレーム構造をUE115に知らせ得る。フレーム構造シグナリングは、共通制御チャネルを介して(たとえば、C-PDCCHを使用して)、1つまたは複数のUE115にブロードキャストされ得る。シグナリングは、サブフレームタイプとサブフレーム長の両方の指示を含み得る。いくつかの場合、C-PDCCHは、sPUCCHのトリガ、フレーム構造のシグナリング、ePUCCHのトリガ、および/またはクロス送信機会(クロスTXOP)グラントのトリガ(たとえば、各UEまたはUEのサブセットに対する)のために使用され得る。
【００６６】
フレーム構造を示す制御チャネルの復号のタイムラインは、制御チャネル自体の構造に依存し得る。すなわち、PDCCHのタイプおよびPDCCHに使用されるOFDMシンボルの数が、処理(たとえば、復号)のタイムラインを決定し得る。たとえば、フレーム構造を示すダウンリンク制御シグナリングは、PDCCHまたは増強PDCCH(ePDCCH)を含み得る。PDCCHは1〜3個のOFDMシンボルを占有し得る。この長さの制御チャネルは、制御チャネルが送信されたのと同じサブフレーム内で復号され得る(たとえば、UE115は、PDCCHが送信されたサブフレームの残りのシンボルの間にPDCCHを復号し得る)。加えて、または代わりに、E-PDCCHは最高で14個のOFDMシンボルを占有し得る。E-PDCCHの復号は、サブフレーム境界を超えて、次のサブフレームの中まで延びることがある。
【００６７】
UE115は、PDCCH復号を完了して後続の送信に備え得る。UE115は、入来するサブフレームがアップリンクであるか、ダウンリンクであるか、または特別なサブフレームであるかを確かめて、それに従って適切な時間(たとえば、次のサブフレーム)に行動をとるために、ある時間の前にPDCCHを復号し得る。たとえば、後続のサブフレームが送信のためのアップリンクサブフレームであることをPDCCHが示す場合、UE115は、次のサブフレームの最初のアップリンク送信に備えるために、サブフレームの中で十分に時間が残っている状態でPDCCHを復号し得る。これらの送信はC-PDCCHによってトリガされ得る。たとえば、UE115は、クロスTXOPグラントによって割り振られるリソースを使用してアップリンクサブフレーム上で送信することがあり、かつ/または、特別なサブフレーム上で肯定応答(ACK)/否定応答(NACK)を送信することがある。
【００６８】
PUCCHは、UL ACK、スケジューリング要求(SR)、ならびにチャネル品質インデックス(CQI)および他のUL制御情報を送信することに使用され得る。PUCCHは、コードと2つの連続するリソースブロックとによって定義される制御チャネルにマッピングされ得る。UL制御シグナリングは、セルのタイミング同期の存在に依存し得る。SRおよびCQI報告のためのPUCCHリソースは、無線リソース制御(RRC)シグナリングを通じて割り当てられ(および失効され)得る。いくつかの場合、SRのためのリソースは、ランダムアクセスチャネル(RACH)手順を通じて同期を獲得した後に割り当てられ得る。他の場合、SRは、RACHを通じてUE115に割り当てられないことがある(すなわち、同期したUEは、専用SRチャネルを有することもあり、有しないこともある)。UEがもはや同期しなくなったとき、SRおよびCQIのためのPUCCHリソースは失われ得る。
【００６９】
ワイヤレス通信システム100は、ePUCCHを使用したUL送信をサポートし得る。ePUCCHは、いくつかのリソースブロックの部分からのリソースを含み得る。たとえば、ePUCCHは、リソースブロック内の他の送信とともにインターリーブされ得る。いくつかの場合、いくつかのUE115からのePUCCH送信は、リソースブロックのセット内でインターリーブされ得る。
【００７０】
ワイヤレス通信システム100はまた、短時間長PUCCHまたはsPUCCHと呼ばれ得る、短縮された制御チャネルをサポートし得る。sPUCCHは、ePUCCHと同様のインターリーブ構造を使用し得るが、より少数のリソースブロックのリソースを含み得る。たとえば、sPUCCHは4つ以下のOFDMシンボルのリソースを使用し得る。いくつかの例では、sPUCCHは、特別なサブフレーム(たとえば、ダウンリンクスケジューリングからアップリンクスケジューリングへの、または逆の切替えを可能にするサブフレーム)を使用して送信されることがあり、共通PDCCHは、特別なサブフレームの存在をUE115に動的に示すために基地局105によって使用されることがある。UE115が短縮された制御チャネルを使用して制御メッセージを送信できることは、基地局105からのダウンリンクメッセージ(たとえば、ダウンリンクグラントなど)の存在によって示され得る。いくつかの場合、制御メッセージは、4つの20MHz帯域の80MHzチャネルなどの、複数のサブバンドを含むチャネルを使用して免許不要スペクトルにおいて送信され得る。
【００７１】
図2は、本開示の様々な態様による、MulteFireのためのフレーム構造シグナリングのためのプロセスフロー200の例を示す。プロセスフロー200は、図1を参照して説明されたような対応するデバイスの例であり得る、基地局105-aおよびUE115-aを含み得る。プロセスフロー200は、あるタイプの制御メッセージ(すなわち、PDCCH vs ePDCCH)および他のパラメータが後続のUL送信のタイミングを示すために使用され得る例を表す。
【００７２】
すなわち、C-PDCCHトリガを搬送するサブフレームと意図されるUE115の送信との間に、最小限の時間が使用されることがあり、この最小限の時間はいくつかの要因に依存し得る。たとえば、UE能力、PDCCHのタイプ、およびPDCCHによって使用される制御シンボルの数が、C-PDCCHトリガとUE送信との間の時間の長さを決定し得る。UE能力は、UEがどれだけ速くPDCCHを復号できるか、復号から送信までのターンアラウンド時間などを含み得る。いくつかの場合、UE115はこの情報を基地局105に示し得る。
【００７３】
205において、基地局105-aは、UL送信のためにグラントをUE115-aに送信し得る。UL送信は、sPUCCH、物理アップリンク共有チャネル(PUSCH)、および/またはePUCCH送信を指し得る。sPUCCHは、DCIに応答してACK/NACKを搬送し得る。PUSCHおよび/またはePUCCHは、PDCCHにおける以前に出されたグラントに対応し得る。上で言及されたように、ePUCCHは、通常のPUCCHをインタレース構造に拡張し得る(たとえば、PUCCHを1つのリソースブロックから10個のリソースブロックに増やし得る)。ePUCCHのより大きなリソースブロックチャネルは、より大きなアップリンクペイロードを可能にし得る。sPUCCHは、シンボル時間長が短縮された通常のPUCCHと性質が似ていることがある。たとえば、sPUCCHは、2個のパイロットシンボルおよび制御情報のための2個のOFDMシンボルの、4シンボル続くことがある(たとえば、通常のPUCCHの14シンボルから短縮される)。sPUCCHは、送信すべきビットがほとんどない、小さいペイロードのシナリオにおいて使用され得る。
【００７４】
210において、UE115-aは、基地局105-aによって送信されるダウンリンク制御メッセージ(たとえば、C-PDCCH)を受信し得る。ダウンリンク制御メッセージは、C-PDCCH、PDCCH、またはePDCCHであり得る。C-PDCCHは多数のUE115に共通であり得る。C-PDCCHはサブフレームの一部分を占有することがあり(たとえば、C-PDCCHはサブフレームのすべてではないが一部の時間リソースを占有することがあり)、またはC-PDCCHはサブフレーム全体を占めることがある(たとえば、ePDCCHは他のチャネルと周波数分割多重化されることがあり、サブフレームの多くのもしくはすべての時間リソースを占有することがある)。PDCCHまたはePDCCHは特定のUEのための制御情報を含み得る。ePDCCHは、サブフレーム全体を占めることがあり(たとえば、ePDCCHは他のチャネルと周波数分割多重化されることがあり、サブフレームの多数またはすべての時間リソースを占有することがあり)、ePDCCHが送信されたサブフレーム内での復号およびターンアラウンドを許容しないことがある。PDCCH(すなわち、通常のPDCCHまたは非ePDCCH)はサブフレームの終了の前に終わることがあり、PDCCHが送信されたサブフレーム内で復号およびターンアラウンドが行われることを許容することがある。PDCCHによって使用される制御シンボルの数は、C-PDCCH、PDCCCH、またはePDCCHが占有するOFDMシンボルの数を指し得る。サブフレームの中のシンボルの総数と比較したPDCCHシンボルの数は、復号およびターンアラウンドについての示唆を与え得る。
【００７５】
215において、UE115-aは、210において受信されたダウンリンク制御メッセージの制御チャネルタイプを特定し得る。UE115-aは、ダウンリンク制御メッセージがC-PDCCHであるか、PDCCHであるか、またはePDCCHであるかを決定し得る。いくつかの場合、制御チャネルタイプは、ダウンリンク制御メッセージの複信構成を含む。たとえば、制御チャネルタイプは、システムがTDDのために構成されるかFDDのために構成されるか、またはシステムが特定の周波数ホッピング構成を利用するかどうかの指示を含み得る。
【００７６】
220において、UE115-aは、215において特定された制御チャネルタイプに基づいてアップリンク送信の期間を決定し得る。いくつかの例では、この期間は、復号速度、ターンアラウンド時間などのUE115-aの能力に基づいて決定され得る。他の例では、この期間は、ダウンリンク制御メッセージによって占有される制御シンボルの数に基づいて決定され得る。この期間は、上で説明されたように、C-PDCCHトリガを搬送するサブフレームと意図されたUE送信との間の最小限の時間の後に続き得る。
【００７７】
225において、UE115-aは、220において決定された期間の間にアップリンクメッセージを送信し得る。アップリンクメッセージは、PUCCHメッセージ、sPUCCHメッセージ、ePUCCHメッセージ、以前のDL送信に対応するACKメッセージ、および/またはPUSCHメッセージを含み得る。
【００７８】
図3は、本開示の様々な態様による、MulteFireのためのフレーム構造シグナリングのためのプロセスフロー300の例を示す。プロセスフロー300は、図1を参照して説明されたような対応するデバイスの例であり得る、基地局105-bおよびUE115-bを含み得る。プロセスフロー300は、DCIメッセージのフォーマット(またはそのうちのいくつかのビット)がダウンリンク制御メッセージの機能を示す例を表す。
【００７９】
C-PDCCHは、異なる機能をサポートするために複数のフォーマットを有し得る。すなわち、C-PDCCHは、異なる機能(たとえば、sPUCCH/ePUCCHのトリガ、フレーム構造のシグナリングなど)を示すために、異なるDCIフォーマットで構成されることがあり、または、異なる無線ネットワーク一時識別子(RNTI)に基づいて復号されることがある。
【００８０】
C-PDCCHは、以前に受信され処理されたクロスTxOPグラントをトリガし得る。クロスTxOPグラントのトリガは、UEおよび/またはUEのグループに対するイネーブル/ディスエーブル信号を提供するための単一のビットを含み得る。基地局105-bは、クロスTxOPトリガをC-PDCCH内でのクロスTxOPトリガビットのグラント具体的な位置においてUEにシグナリングし得る。またはいくつかの例では、基地局はRRCシグナリングを使用してそのような情報をシグナリングし得る。加えて、または代わりに、ビット(たとえば、kビット)のセットは、クロスTxOPの構成を示すために使用され得る。ビットのセットは、以前に出されたグラントが有効かであるか無効であるか、開始サブフレームのオフセット、および/またはグラントの時間長を示し得る。ビットのセットは、グラントにおいてUEまたはUEのグループにシグナリングされることがあり、またはいくつかの場合、C-PDCCH内でこれらのビットの位置においてRRCを介してシグナリングされることがある。
【００８１】
305において、UE115-bは、いくつかの場合、クロスTxOPグラントのトリガの位置を示すクロスTxOP構成を受信し得る。いくつかの場合、基地局105-bはクロスTxOPのためのグラントも送信することがあり、クロスTxOP構成はクロスTxOPグラントとともに含まれることがある。
【００８２】
310において、UE115-bは、基地局105-bからダウンリンク制御メッセージを受信し得る。たとえば、UE115-bは、PDCCH、ePDCCH、またはsPDCCHメッセージを受信し得る。複数の異なるC-PDCCHフォーマットが定義されることがあり、UE115は(たとえば、ブラインド復号の間に)異なるフォーマットを有する制御メッセージを探すことがある。代わりに、C-PDCCHの統合されたフォーマットのセットがあり得る。
【００８３】
315において、UE115-bは、310において受信されたダウンリンク制御メッセージのDCIを特定し得る。DCIは、所定の数のDCIフォーマットのうちの1つに対応するビットの数を含み得る。いくつかの場合、PDCCHの中のビットのサブセットが復号されることがあり、同じメッセージの中の他のデータが、機能を示すビットの別個のサブセットに基づいて再解釈されることがある。いくつかの場合、PDCCH内のビットは、PDCCHのフォーマットを決定する前(たとえば、ビットを解釈する前)に読み取られ得る。UE115は、ブラインド復号確認と関連付けられるDCIフォーマット仮説を試験し得る。C-PDCCHフォーマットは、どの仮説がブラインド復号確認に合格するかに基づいて決定され得る。
【００８４】
320において、UE115-bは、310において受信されたダウンリンク制御メッセージの機能を決定し得る。たとえば、ダウンリンク制御メッセージの機能は、sPUCCHをトリガすること、フレーム構造を示すこと、ePUCCHをトリガすること、および/またはクロスTxOPのトリガを含み得る。機能は、315において特定されたDCIに基づいて決定され得る。いくつかの場合、機能は、DCIフォーマットと関連付けられる復号仮説を特定し、どの復号仮説が合格したブラインド復号確認と関連付けられるかを決定することによって、決定され得る。ダウンリンク制御メッセージの機能は次いで、ダウンリンク制御メッセージがブラインド復号確認に合格したかどうかに基づいて決定され得る。いくつかの場合、ダウンリンク制御メッセージの機能は、305において受信されたグラントと関連付けられるクロスTxOPをトリガすることである。クロスTxOPグラントのトリガは、上で説明されたように、複数のクロスTxOPに対応する単一のビットまたはビットのセットを含み得る。
【００８５】
325において、UE115-bは、クロスTxOPのトリガに応答してアップリンクメッセージを送信することができ、これは320において決定されたようなダウンリンク制御メッセージの機能であり得る。しかしながら、ダウンリンク制御メッセージの機能が320において上で説明されたような機能のうちの別のものであると決定された場合、UE115-bはそれに従って、上で説明されたようなその機能に対応する動作を実行し得る。たとえば、ダウンリンク制御メッセージの機能がsPUCCHをトリガすることであると決定された場合、UE115-bはそれに従って、ACKまたはNACKを送信し得る。
【００８６】
図4は、本開示の様々な態様による、MulteFireのためのフレーム構造シグナリングのためのプロセスフロー400の例を示す。プロセスフロー400は、図1を参照して説明されたような対応するデバイスの例であり得る、基地局105-cおよびUE115-cを含み得る。プロセスフロー400は、システム情報メッセージのフォーマットがDRSサブフレームの長さを示すために使用される例を表し得る。
【００８７】
たとえば、405において、UE115-cは、基地局105-cからサブフレームの間にシステム情報メッセージを受信し得る。たとえば、UE115-cはeSIBメッセージを受信し得る。PDCCHのフォーマットは、サブフレームの長さを決定するために使用され得る。サブフレームの長さの知識は復号の信頼性を高め得る。すなわち、DRSサブフレームの長さ(たとえば、12シンボルまたは14シンボル)を知ることで、信頼性のあるシステム情報の復号が可能になり得る。eSIBの復号は、サブフレームの長さが知られていれば高い信頼性で復号され得る。C-PDCCHは任意選択で送信される信号であり得るので、PDCCHはサブフレームの長さを決定するために使用され得る。
【００８８】
410において、UE115-cは、405において受信されたシステム情報メッセージに基づいて、DRSサブフレームの時間長を決定し得る。DRSサブフレームの中のシンボルの数はeSIBの送信のために使用されるPDCCHフォーマットにマッピングされ得るので、PDCCHのフォーマットはDRSサブフレームの長さを決定するために使用され得る。たとえば、PDCCHのDCIフォーマットは、サブフレームの長さに直接対応し得る。上で説明された方法はまた、他のサブフレーム(たとえば、非DRSサブフレーム)の長さを決定することにも適用され得る。したがって、UE115は、失われた、またはまったく送信されない可能性のある以前の送信されたC-PDCCHとは無関係に、サブフレームの長さを決定し得る。したがって、415において、UE115-cは、410において決定された時間長の間DRSを監視し得る。
【００８９】
図5は、本開示の様々な態様による、MulteFireのためのフレーム構造シグナリングをサポートするワイヤレスデバイス500のブロック図を示す。ワイヤレスデバイス500は、図1および図2を参照して説明されたUE115の態様の例であり得る。ワイヤレスデバイス500は、受信機505、送信機510、およびUEフレーム構造マネージャ515を含み得る。ワイヤレスデバイス500はプロセッサも含み得る。これらの構成要素の各々は、互いに通信していることがある。
【００９０】
受信機505は、パケット、ユーザデータ、または様々な情報チャネルと関連付けられる制御情報(たとえば、制御チャネル、データチャネル、および、MulteFireのためのフレーム構造シグナリングに関する情報など)などの情報を受信し得る。情報は、デバイスの他の構成要素に伝えられ得る。受信機505は、図8を参照して説明されるようなトランシーバ825の態様の例であり得る。
【００９１】
送信機510は、ワイヤレスデバイス500の他の構成要素から受信された信号を送信し得る。いくつかの例では、送信機510は、トランシーバモジュールの中で受信機と併置され得る。たとえば、送信機510は、図8を参照して説明されるトランシーバ825の態様の例であり得る。送信機510は、単一のアンテナを含むことがあり、または複数のアンテナを含むことがある。
【００９２】
UEフレーム構造マネージャ515は、DL制御メッセージを受信し、DL制御メッセージのDCIを特定し、DCIに基づいてDL制御メッセージの機能を決定することができ、DL制御メッセージの機能は、sPUCCHのトリガ、フレーム構造の指示、ePUCCHのトリガ、またはクロスTxOPグラントのトリガのうちの少なくとも1つを含む。いくつかの場合、UL送信の位置が各UEに対して指定され得る(たとえば、明示的に、または各UEがグラントにおいて追加のオフセットをさらに与えられ得る共通のオフセットを使用することによって)。UEフレーム構造マネージャ515はまた、図8を参照して説明されるようなUEフレーム構造マネージャ805の態様の例であり得る。
【００９３】
UEフレーム構造マネージャ515はまた、共有無線周波数スペクトル帯域のリソースの第1のセットを使用してDL制御メッセージを受信し、DL制御メッセージの制御チャネルタイプを特定し、DL制御メッセージの制御チャネルタイプに基づいてUL送信の開始時間および期間を決定し、共有無線周波数スペクトル帯域のリソースの第1のセットまたはリソースの第2のセットを使用してその期間の間ULメッセージを送信し得る。いくつかの場合、DL制御メッセージはDLトリガ信号であり得る。
【００９４】
UEフレーム構造マネージャ515はまた、サブフレームの間にシステム情報メッセージを受信し、システム情報メッセージに基づいてDRSサブフレームの時間長を決定し、DRSサブフレームの時間長の間DRSを監視し得る。
【００９５】
図6は、本開示の様々な態様による、MulteFireのためのフレーム構造シグナリングをサポートするワイヤレスデバイス600のブロック図を示す。ワイヤレスデバイス600は、図1、図2、および図5を参照して説明されたワイヤレスデバイス500またはUE115の態様の例であり得る。ワイヤレスデバイス600は、受信機605、UEフレーム構造マネージャ610、および送信機645を含み得る。ワイヤレスデバイス600はプロセッサも含み得る。これらの構成要素の各々は、互いに通信していることがある。
【００９６】
受信機605は、デバイスの他の構成要素に伝えられ得る情報を受信し得る。受信機605はまた、図5の受信機505を参照して説明されたような機能を実行し得る。受信機605は、図8を参照して説明されるようなトランシーバ825の態様の例であり得る。
【００９７】
UEフレーム構造マネージャ610は、図5を参照して説明されるUEフレーム構造マネージャ515の態様の例であり得る。UEフレーム構造マネージャ610は、DL制御メッセージ構成要素615、制御チャネルタイプ構成要素620、UL送信構成要素625、制御メッセージ機能構成要素630、システム情報構成要素635、およびDRS構成要素640を含み得る。UEフレーム構造マネージャ610は、図8を参照して説明されるUEフレーム構造マネージャ805の態様の例であり得る。
【００９８】
DL制御メッセージ構成要素615は、DL制御メッセージを受信し、共有無線周波数スペクトル帯域のリソースの第1のセットを使用してDL制御メッセージを受信し得る。いくつかの場合、DL制御メッセージはC-PDCCHである。いくつかの場合、DL制御メッセージはDLトリガ信号であり得る。
【００９９】
制御チャネルタイプ構成要素620は、DL制御メッセージの制御チャネルタイプを特定し得る。いくつかの場合、制御チャネルタイプを特定することは、DL制御メッセージがPDCCHタイプであるかePDCCHであるかを決定することを含む。
【０１００】
UL送信構成要素625は、クロスTxOPグラントおよびクロスTxOPグラントのトリガに応答してULメッセージを送信し、DL制御メッセージの制御チャネルタイプに基づいてUL送信の開始時間および期間を決定し、共有無線周波数スペクトル帯域のリソースの第1のセットまたはリソースの第2のセットを使用してその期間の間ULメッセージを送信し得る。いくつかの場合、この期間はUE能力に基づいて決定される。いくつかの場合、この期間は、DL制御メッセージによって占有される制御シンボル(たとえば、OFDMシンボル)の数に基づいて決定される。いくつかの場合、ULメッセージは、PUCCHメッセージ、sPUCCHメッセージ、ePUCCHメッセージ、以前のDL送信に対応するACKメッセージ、またはPUSCHメッセージのうちの少なくとも1つを含む。
【０１０１】
制御メッセージ機能構成要素630は、DL制御メッセージのDCIを特定し、DCIに基づいてDL制御メッセージの機能を決定することができ、DL制御メッセージの機能は、sPUCCHのトリガ、フレーム構造の指示、ePUCCHのトリガ、またはクロスTxOPグラントのトリガのうちの少なくとも1つを含む。いくつかの場合、クロスTxOPグラントのトリガは、DL制御メッセージの単一のビットを含む。いくつかの場合、クロスTxOPグラントのトリガは、クロスTxOPグラントのセットに対応するDL制御メッセージのビットのセットを含む。いくつかの場合、これらのビットは、以前に出されたグラントを選択的にアクティブ化または非アクティブ化するために使用され得る。
【０１０２】
システム情報構成要素635は、サブフレームの間にシステム情報メッセージを受信し得る。DRS構成要素640は、システム情報メッセージに基づいてDRSサブフレームの時間長を決定し、DRSサブフレームの時間長の間DRSを監視し得る。
【０１０３】
送信機645は、ワイヤレスデバイス600の他の構成要素から受信された信号を送信し得る。いくつかの例では、送信機645は、トランシーバモジュールの中で受信機と併置され得る。たとえば、送信機645は、図8を参照して説明されるトランシーバ825の態様の例であり得る。送信機645は、単一のアンテナを利用することがあり、または複数のアンテナを利用することがある。
【０１０４】
図7は、ワイヤレスデバイス500またはワイヤレスデバイス600の対応する構成要素の例であり得るUEフレーム構造マネージャ700のブロック図を示す。すなわち、UEフレーム構造マネージャ700は、図5および図6を参照して説明されたUEフレーム構造マネージャ515またはUEフレーム構造マネージャ610の態様の例であり得る。UEフレーム構造マネージャ700はまた、図8を参照して説明されるようなUEフレーム構造マネージャ805の態様の例であり得る。
【０１０５】
UEフレーム構造マネージャ700は、制御チャネルタイプ構成要素705、UL送信構成要素710、ULグラント構成要素715、DL制御メッセージ構成要素720、制御メッセージ機能構成要素725、デコーダ730、クロスTxOP構成構成要素735、システム情報構成要素740、およびDRS構成要素745を含み得る。これらのモジュールの各々は、(たとえば、1つまたは複数のバスを介して)直接または間接的に互いと通信し得る。
【０１０６】
制御チャネルタイプ構成要素705は、DL制御メッセージの制御チャネルタイプを特定し得る。UL送信構成要素710は、クロスTxOPグラントおよびクロスTxOPグラントのトリガに応答してULメッセージを送信し、DL制御メッセージの制御チャネルタイプに基づいてUL送信の開始時間および期間を決定し、共有無線周波数スペクトル帯域のリソースの第1のセットまたはリソースの第2のセットを使用してその期間の間ULメッセージを送信し得る。
【０１０７】
ULグラント構成要素715は、クロスTxOPグラントなどのDL制御メッセージを受信する前にPUSCH送信のためのグラントを受信することができ、DL制御メッセージの機能はクロスTxOPグラントのトリガであり、クロスTxOPグラントはクロスTxOPグラントのトリガの前に受信される。
【０１０８】
DL制御メッセージ構成要素720は、DL制御メッセージを受信し、共有無線周波数スペクトル帯域のリソースの第1のセットを使用してDL制御メッセージを受信し得る。
【０１０９】
制御メッセージ機能構成要素725は、DL制御メッセージのDCIを特定し、DCIに基づいてDL制御メッセージの機能を決定することができ、DL制御メッセージの機能は、sPUCCHのトリガ、フレーム構造の指示、ePUCCHのトリガ、またはクロスTxOPグラントのトリガのうちの少なくとも1つを含む。デコーダ730は、DCIフォーマットと関連付けられる復号仮説を特定し、DL制御メッセージが復号仮説と関連付けられるブラインド復号確認に合格したと決定し、DL制御メッセージの機能が、DL制御メッセージがブラインド復号確認に合格したという決定に基づいて決定され、DCIの第1の部分を復号することができ、DL制御メッセージの機能を決定することは、DCIの第1の部分に基づいてDCIの第2の部分を解釈することを含む。
【０１１０】
クロスTxOP構成構成要素735は、クロスTxOPグラントのトリガの位置を示すクロスTxOP構成を受信し得る。システム情報構成要素740は、サブフレームの間にシステム情報メッセージを受信し得る。DRS構成要素745は、システム情報メッセージに基づいてDRSサブフレームの時間長を決定し、DRSサブフレームの時間長の間DRSを監視し得る。いくつかの場合、UL送信の位置が各UEに対して指定され得る(たとえば、明示的に、または各UEがグラントにおいて追加のオフセットをさらに与えられ得る共通のオフセットを使用することによって)。
【０１１１】
図8は、本開示の様々な態様による、MulteFireのためのフレーム構造シグナリングをサポートするデバイスを含むシステム800の図を示す。たとえば、システム800は、UE115-dを含むことがあり、UE115-dは、図1、図2、および図5〜図7を参照して説明されたようなワイヤレスデバイス500、ワイヤレスデバイス600、またはUE115の例であり得る。
【０１１２】
UE115-dはまた、UEフレーム構造マネージャ805と、メモリ810と、プロセッサ820と、トランシーバ825と、アンテナ830と、ECCモジュール835とを含み得る。これらのモジュールの各々は、(たとえば、1つまたは複数のバスを介して)直接または間接的に互いと通信し得る。UEフレーム構造マネージャ805は、図5〜図7を参照して説明されたUEフレーム構造マネージャの例であり得る。
【０１１３】
メモリ810は、ランダムアクセスメモリ(RAM)および読取り専用メモリ(ROM)を含み得る。メモリ810は、実行されると、本明細書で説明される様々な機能(たとえば、MulteFireのためのフレーム構造シグナリングなど)を装置に実行させる命令を含む、コンピュータ可読のコンピュータ実行可能ソフトウェアを記憶し得る。いくつかの場合、ソフトウェア815は、プロセッサによって直接実行可能ではないことがあるが、(たとえば、コンパイルされ、実行されると)本明細書で説明される機能をコンピュータに実行させ得る。
【０１１４】
プロセッサ820は、インテリジェントハードウェアデバイス(たとえば、中央処理装置(CPU)、マイクロコントローラ、特定用途向け集積回路(ASIC)など)を含み得る。トランシーバ825は、上で説明されたように、1つまたは複数のアンテナ、有線リンク、またはワイヤレスリンクを介して、1つまたは複数のネットワークと双方向に通信し得る。たとえば、トランシーバ825は、基地局105またはUE115と双方向に通信し得る。トランシーバ825は、パケットを変調し、変調されたパケットを送信のためにアンテナに提供し、アンテナから受信されたパケットを復調するためのモデムも含み得る。いくつかの場合、ワイヤレスデバイスは、単一のアンテナ830を含み得る。しかしながら、いくつかの場合、デバイスは、複数のワイヤレス送信を同時に送信または受信することが可能であり得る複数のアンテナ830を有し得る。
【０１１５】
ECCモジュール835は、共有スペクトルまたは免許不要スペクトルを使用する通信などの拡張コンポーネントキャリア(eCC)を使用する、短縮されたTTIもしくはサブフレーム時間長を使用する、または多数のコンポーネントキャリアを使用する動作を可能にし得る。
【０１１６】
図9は、本開示の様々な態様による、MulteFireのためのフレーム構造シグナリングをサポートするワイヤレスデバイス900のブロック図を示す。ワイヤレスデバイス900は、図1および図2を参照して説明された基地局105の態様の例であり得る。ワイヤレスデバイス900は、受信機905、基地局フレーム構造マネージャ910、および送信機915を含み得る。ワイヤレスデバイス900はプロセッサも含み得る。これらの構成要素の各々は、互いに通信していることがある。
【０１１７】
受信機905は、パケット、ユーザデータ、または様々な情報チャネルと関連付けられる制御情報(たとえば、制御チャネル、データチャネル、および、MulteFireのためのフレーム構造シグナリングに関する情報など)などの情報を受信し得る。情報は、デバイスの他の構成要素に伝えられ得る。受信機905は、図12を参照して説明されるようなトランシーバ1225の態様の例であり得る。
【０１１８】
基地局フレーム構造マネージャ910は、DL制御メッセージの制御チャネルタイプを特定し、共有無線周波数スペクトル帯域のリソースの第1のセットを使用してDL制御メッセージを送信し、DL制御メッセージの制御チャネルタイプに基づいてUL送信の開始時間および期間を決定し、共有無線周波数スペクトル帯域のリソースの第1のセットまたはリソースの第2のセットを使用してその期間の間ULメッセージを受信し得る。
【０１１９】
基地局フレーム構造マネージャ910はまた、DL制御メッセージの機能を構成し、この機能が、sPUCCHのトリガ、フレーム構造の指示、ePUCCHのトリガ、またはクロスTxOPグラントのトリガのうちの少なくとも1つを含み、DL制御メッセージの機能に基づいてDL制御メッセージのDCIを選択し、DL制御メッセージを送信し得る。
【０１２０】
基地局フレーム構造マネージャ910はまた、監視されるべきDRSサブフレームの時間長を特定し、システム情報メッセージの中のDRSサブフレームの時間長の指示を送信し、DRSサブフレームの時間長の間DRSを送信し得る。基地局フレーム構造マネージャ910はまた、図12を参照して説明されるような基地局フレーム構造マネージャ1205の態様の例であり得る。
【０１２１】
送信機915は、ワイヤレスデバイス900の他の構成要素から受信された信号を送信し得る。いくつかの例では、送信機915は、トランシーバモジュールの中で受信機と併置され得る。たとえば、送信機915は、図12を参照して説明されるトランシーバ1225の態様の例であり得る。送信機915は、単一のアンテナを含むことがあり、または複数のアンテナを含むことがある。
【０１２２】
図10は、本開示の様々な態様による、MulteFireのためのフレーム構造シグナリングをサポートするワイヤレスデバイス1000のブロック図を示す。ワイヤレスデバイス1000は、図1、図2、および図9を参照して説明されたワイヤレスデバイス900または基地局105の態様の例であり得る。ワイヤレスデバイス1000は、受信機1005、基地局フレーム構造マネージャ1010、および送信機1045を含み得る。ワイヤレスデバイス1000はプロセッサも含み得る。これらの構成要素の各々は、互いに通信していることがある。
【０１２３】
受信機1005は、デバイスの他の構成要素に伝えられ得る情報を受信し得る。受信機1005はまた、図9の受信機905を参照して説明されたような機能を実行し得る。受信機1005は、図12を参照して説明されるトランシーバ1225の態様の例であり得る。
【０１２４】
基地局フレーム構造マネージャ1010は、図9を参照して説明されるような基地局フレーム構造マネージャ910の態様の例であり得る。基地局フレーム構造マネージャ1010は、制御チャネルタイプ構成要素1015、DL制御メッセージ構成要素1020、UL送信構成要素1025、制御メッセージ機能構成要素1030、システム情報構成要素1035、およびDRS構成要素1040を含み得る。基地局フレーム構造マネージャ1010は、図12を参照して説明される基地局フレーム構造マネージャ1205の態様の例であり得る。
【０１２５】
制御チャネルタイプ構成要素1015は、DL制御メッセージの制御チャネルタイプを特定し得る。いくつかの場合、制御チャネルタイプを特定することは、DL制御メッセージがPDCCHタイプであるかePDCCHであるかを決定することを含む。
【０１２６】
DL制御メッセージ構成要素1020は、共有無線周波数スペクトル帯域のリソースの第1のセットを使用してDL制御メッセージを送信し、DL制御メッセージの機能に基づいてDL制御メッセージのDCIを選択し、DL制御メッセージを送信し得る。いくつかの場合、DL制御メッセージはC-PDCCHである。
【０１２７】
UL送信構成要素1025は、DL制御メッセージの制御チャネルタイプに基づいてUL送信の開始時間および期間を決定し、共有無線周波数スペクトル帯域のリソースの第1のセットおよびリソースの第2のセットを使用してその期間の間にULメッセージを受信し、クロスTxOPグラントおよびクロスTxOPグラントのトリガに応答してULメッセージを受信し得る。いくつかの場合、この期間はUE能力に基づいて決定される。いくつかの場合、この期間は、DL制御メッセージによって占有される制御シンボルの数に基づいて決定される。いくつかの場合、ULメッセージは、PUCCHメッセージ、sPUCCHメッセージ、ePUCCHメッセージ、以前のDL送信に対応するACKメッセージ、またはPUSCHメッセージのうちの少なくとも1つを含む。
【０１２８】
制御メッセージ機能構成要素1030は、DL制御メッセージの機能を構成することができ、その機能は、sPUCCHのトリガ、フレーム構造の指示、ePUCCHのトリガ、またはクロスTxOPグラントのトリガのうちの少なくとも1つを含む。いくつかの場合、クロスTxOPグラントのトリガは、DL制御メッセージの単一のビットを含む。いくつかの場合、クロスTxOPグラントのトリガは、クロスTxOPグラントのセットに対応するDL制御メッセージのビットのセットを含む。いくつかの場合、これらのビットは、以前に出されたグラントを選択的にアクティブ化または非アクティブ化するために使用され得る。
【０１２９】
システム情報構成要素1035は、システム情報メッセージの中のDRSサブフレームの時間長の指示を送信し得る。DRS構成要素1040は、監視されるべきDRSサブフレームの時間長を特定し、DRSサブフレームの時間長の間DRSを送信し得る。
【０１３０】
送信機1045は、ワイヤレスデバイス1000の他の構成要素から受信された信号を送信し得る。いくつかの例では、送信機1045は、トランシーバモジュールの中で受信機と併置され得る。たとえば、送信機1045は、図12を参照して説明されるトランシーバ1225の態様の例であり得る。送信機1045は、単一のアンテナを利用することがあり、または複数のアンテナを利用することがある。
【０１３１】
図11は、ワイヤレスデバイス900またはワイヤレスデバイス1000の対応する構成要素の例であり得る基地局フレーム構造マネージャ1100のブロック図を示す。すなわち、基地局フレーム構造マネージャ1100は、図9および図10を参照して説明された基地局フレーム構造マネージャ910または基地局フレーム構造マネージャ1010の態様の例であり得る。基地局フレーム構造マネージャ1100はまた、図12を参照して説明されるような基地局フレーム構造マネージャ1205の態様の例であり得る。
【０１３２】
基地局フレーム構造マネージャ1100は、制御チャネルタイプ構成要素1105、UL送信構成要素1110、ULグラント構成要素1115、制御メッセージ機能構成要素1120、DL制御メッセージ構成要素1125、クロスTxOP構成構成要素1130、システム情報構成要素1140、およびDRS構成要素1145を含み得る。これらのモジュールの各々は、(たとえば、1つまたは複数のバスを介して)直接または間接的に互いと通信し得る。
【０１３３】
制御チャネルタイプ構成要素1105は、DL制御メッセージの制御チャネルタイプを特定し得る。いくつかの場合、制御チャネルタイプを特定することは、DL制御メッセージがPDCCHタイプであるかePDCCHであるかを決定することを含む。いくつかの場合、制御チャネルタイプは、DL制御メッセージの複信構成を含む。
【０１３４】
UL送信構成要素1110は、DL制御メッセージの制御チャネルタイプに基づいてUL送信の開始時間および期間を決定し、共有無線周波数スペクトル帯域のリソースの第1のセットおよびリソースの第2のセットを使用してその期間の間にULメッセージを受信し、クロスTxOPグラントおよびクロスTxOPグラントのトリガに応答してULメッセージを受信し得る。いくつかの場合、この期間はUE能力に基づいて決定される。いくつかの場合、この期間は、DL制御メッセージによって占有される制御シンボルの数に基づいて決定される。いくつかの場合、制御シンボルはOFDMシンボルであり得る。いくつかの場合、ULメッセージは、PUCCHメッセージ、sPUCCHメッセージ、ePUCCHメッセージ、以前のDL送信に対応するACKメッセージ、またはPUSCHメッセージのうちの少なくとも1つを含む。
【０１３５】
ULグラント構成要素1115は、クロスTxOPグラントなどのDL制御メッセージを送信する前にPUSCH送信のためのグラントを送信することができ、DL制御メッセージの機能はクロスTxOPグラントのトリガであり、クロスTxOPグラントはクロスTxOPグラントのトリガの前に送信される。
【０１３６】
制御メッセージ機能構成要素1120は、DL制御メッセージの機能を構成することができ、その機能は、sPUCCHのトリガ、フレーム構造の指示、ePUCCHのトリガ、またはクロスTxOPグラントのトリガのうちの少なくとも1つを含む。いくつかの場合、クロスTxOPグラントのトリガは、DL制御メッセージの単一のビットを含む。いくつかの場合、クロスTxOPグラントのトリガは、クロスTxOPグラントのセットに対応するDL制御メッセージのビットのセットを含む。いくつかの場合、これらのビットは、以前に出されたグラントを選択的にアクティブ化または非アクティブ化するために使用され得る。
【０１３７】
DL制御メッセージ構成要素1125は、共有無線周波数スペクトル帯域のリソースの第1のセットを使用してDL制御メッセージを送信し、DL制御メッセージの機能に基づいてDL制御メッセージのDCIを選択し、DL制御メッセージを送信し得る。いくつかの場合、DL制御メッセージはC-PDCCHである。
【０１３８】
クロスTxOP構成構成要素1130は、クロスTxOPグラントのトリガの位置を示すクロスTxOP構成を送信し得る。システム情報構成要素1140は、システム情報メッセージの中のDRSサブフレームの時間長の指示を送信し得る。DRS構成要素1145は、監視されるべきDRSサブフレームの時間長を特定し、DRSサブフレームの時間長の間DRSを送信し得る。
【０１３９】
図12は、本開示の様々な態様による、MulteFireのためのフレーム構造シグナリングをサポートするデバイスを含むワイヤレスシステム1200の図を示す。たとえば、システム1200は、基地局105-eを含むことがあり、基地局105-eは、図1、図2、および図9〜図11を参照して説明されたようなワイヤレスデバイス900、ワイヤレスデバイス1000、または基地局105の例であることがある。基地局105-eはまた、通信を送信するための構成要素および通信を受信するための構成要素を含む、双方向音声およびデータ通信のための構成要素を含み得る。たとえば、基地局105-eは、1つまたは複数のUE115と双方向に通信し得る。
【０１４０】
基地局105-eはまた、基地局フレーム構造マネージャ1205、メモリ1210、プロセッサ1220、トランシーバ1225、アンテナ1230、基地局通信モジュール1235、およびネットワーク通信モジュール1240を含み得る。これらのモジュールの各々は、(たとえば、1つまたは複数のバスを介して)直接または間接的に互いと通信し得る。基地局フレーム構造マネージャ1205は、図9〜図11を参照して説明された基地局フレーム構造マネージャの例であり得る。
【０１４１】
メモリ1210は、RAMおよびROMを含み得る。メモリ1210は、実行されると、本明細書で説明される様々な機能(たとえば、MulteFireのためのフレーム構造シグナリングなど)を装置に実行させる命令を含む、コンピュータ可読のコンピュータ実行可能ソフトウェアを記憶し得る。いくつかの場合、ソフトウェア1215は、プロセッサによって直接実行可能ではないことがあるが、(たとえば、コンパイルされ、実行されると)本明細書で説明される機能をコンピュータに実行させ得る。プロセッサ1220は、インテリジェントハードウェアデバイス(たとえば、CPU、マイクロコントローラ、ASICなど)を含み得る。
【０１４２】
トランシーバ1225は、上で説明されたように、1つまたは複数のアンテナ、有線リンク、またはワイヤレスリンクを介して、1つまたは複数のネットワークと双方向に通信し得る。たとえば、トランシーバ1225は、基地局105またはUE115と双方向に通信し得る。トランシーバ1225はまた、パケットを変調し、変調されたパケットを送信のためにアンテナに提供するために、かつアンテナから受信されたパケットを復調するために、モデムを含み得る。いくつかの場合、ワイヤレスデバイスは単一のアンテナ1230を含み得る。しかしながら、いくつかの場合、デバイスは、複数のワイヤレス送信を同時に送信または受信することが可能であり得る複数のアンテナ1230を有し得る。
【０１４３】
基地局通信モジュール1235は、他の基地局105との通信を管理することがあり、他の基地局105と協調してUE115との通信を制御するためのコントローラまたはスケジューラを含むことがある。たとえば、基地局通信モジュール1235は、ビームフォーミングまたはジョイント送信などの様々な干渉緩和技法のためのUE115への送信のためのスケジューリングを調整し得る。いくつかの例では、基地局通信モジュール1235は、基地局105間の通信を行うために、LTE/LTE-Aワイヤレス通信ネットワーク技術内のX2インターフェースを提供し得る。
【０１４４】
ネットワーク通信モジュール1240は、(たとえば、1つまたは複数の有線バックホールリンクを経由した)コアネットワークとの通信を管理し得る。たとえば、ネットワーク通信モジュール1240は、1つまたは複数のUE115などのクライアントデバイスのためのデータ通信の転送を管理し得る。
【０１４５】
図13は、本開示の様々な態様による、MulteFireのためのフレーム構造シグナリングのための方法1300を示すフローチャートを示す。方法1300の動作は、図1および図2を参照して説明されたようなUE115などのデバイスまたはその構成要素によって実施され得る。たとえば、方法1300の動作は、本明細書で説明されるように、515または805などのUEフレーム構造マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１４６】
ブロック1305において、UE115は、図2〜図4を参照して上で説明されたように、共有無線周波数スペクトル帯域のリソースの第1のセットを使用してDL制御メッセージを受信し得る。いくつかの例では、ブロック1305の動作は、図6および図7を参照して説明されたように、DL制御メッセージ構成要素によって実行され得る。
【０１４７】
ブロック1310において、UE115は、図2〜図4を参照して上で説明されたように、DL制御メッセージの制御チャネルタイプを特定し得る。いくつかの例では、ブロック1310の動作は、図6および図7を参照して説明されたように、制御チャネルタイプ構成要素によって実行され得る。
【０１４８】
ブロック1315において、UE115は、図2〜図4を参照して上で説明されたように、DL制御メッセージの制御チャネルタイプに基づいてUL送信の開始時間および期間を決定し得る。いくつかの例では、ブロック1315の動作は、図6および図7を参照して説明されたように、UL送信構成要素によって実行され得る。
【０１４９】
ブロック1320において、UE115は、図2〜図4を参照して上で説明されたように、共有無線周波数スペクトル帯域のリソースの第1のセットまたはリソースの第2のセットを使用してその期間の間にULメッセージを送信し得る。いくつかの例では、ブロック1320の動作は、図6および図7を参照して説明されたように、UL送信構成要素によって実行され得る。
【０１５０】
図14は、本開示の様々な態様による、MulteFireのためのフレーム構造シグナリングのための方法1400を示すフローチャートを示す。方法1400の動作は、図1および図2を参照して説明されたようなUE115などのデバイスまたはその構成要素によって実施され得る。たとえば、方法1400の動作は、本明細書で説明されるように、UEフレーム構造マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１５１】
ブロック1405において、UE115は、図2〜図4を参照して上で説明されたように、DL制御メッセージを受信し得る。いくつかの例では、ブロック1405の動作は、図6および図7を参照して説明されたように、DL制御メッセージ構成要素によって実行され得る。
【０１５２】
ブロック1410において、UE115は、図2〜図4を参照して上で説明されたように、DL制御メッセージのDCIを特定し得る。いくつかの例では、ブロック1410の動作は、図6および図7を参照して説明されたように、制御メッセージ機能構成要素によって実行され得る。
【０１５３】
ブロック1415において、UE115は、図2〜図4を参照して上で説明されたように、DCIに基づいてDL制御メッセージの機能を決定することができ、DL制御メッセージの機能は、sPUCCHのトリガ、フレーム構造の指示、ePUCCHのトリガ、またはクロスTxOPグラントのトリガのうちの少なくとも1つを含む。いくつかの例では、ブロック1415の動作は、図6および図7を参照して説明されたように、制御メッセージ機能構成要素によって実行され得る。
【０１５４】
図15は、本開示の様々な態様による、MulteFireのためのフレーム構造シグナリングのための方法1500を示すフローチャートを示す。方法1500の動作は、図1および図2を参照して説明されたようなUE115などのデバイスまたはその構成要素によって実施され得る。たとえば、方法1500の動作は、本明細書で説明されるように、UEフレーム構造マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１５５】
ブロック1505において、UE115は、図2〜図4を参照して上で説明されたように、サブフレームの間にシステム情報メッセージを受信し得る。いくつかの例では、ブロック1505の動作は、図6および図7を参照して説明されたようなシステム情報構成要素によって実行され得る。
【０１５６】
ブロック1510において、UE115は、図2〜図4を参照して上で説明されたように、システム情報メッセージに基づいてDRSサブフレームの時間長を決定し得る。いくつかの例では、ブロック1510の動作は、図6および図7を参照して説明されたように、DRS構成要素によって実行され得る。
【０１５７】
ブロック1515において、UE115は、図2〜図4を参照して上で説明されたように、DRSサブフレームの時間長の間DRSを監視し得る。いくつかの例では、ブロック1515の動作は、図6および図7を参照して説明されたように、DRS構成要素によって実行され得る。
【０１５８】
図16は、本開示の様々な態様による、MulteFireのためのフレーム構造シグナリングのための方法1600を示すフローチャートを示す。方法1600の動作は、図1および図2を参照して説明されたような基地局105などのデバイスまたはその構成要素によって実施され得る。たとえば、方法1600の動作は、本明細書で説明されるように、基地局フレーム構造マネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１５９】
ブロック1605において、基地局105は、図2〜図4を参照して上で説明されたように、DL制御メッセージの制御チャネルタイプを特定し得る。いくつかの例では、ブロック1605の動作は、図10および図11を参照して説明されたように、制御チャネルタイプ構成要素によって実行され得る。
【０１６０】
ブロック1610において、基地局105は、図2〜図4を参照して上で説明されたように、共有無線周波数スペクトル帯域のリソースの第1のセットを使用してDL制御メッセージを送信し得る。いくつかの例では、ブロック1610の動作は、図10および図11を参照して説明されたように、DL制御メッセージ構成要素によって実行され得る。
【０１６１】
ブロック1615において、基地局105は、図2〜図4を参照して上で説明されたように、DL制御メッセージの制御チャネルタイプに基づいてUL送信の開始時間および期間を決定し得る。いくつかの例では、ブロック1615の動作は、図10および図11を参照して説明されたように、UL送信構成要素によって実行され得る。
【０１６２】
ブロック1620において、基地局105は、図2〜図4を参照して上で説明されたように、共有無線周波数スペクトル帯域のリソースの第1のセットまたはリソースの第2のセットを使用してその期間の間にULメッセージを受信し得る。いくつかの例では、ブロック1620の動作は、図10および図11を参照して説明されたように、UL送信構成要素によって実行され得る。
【０１６３】
図17は、本開示の様々な態様による、MulteFireのためのフレーム構造シグナリングのための方法1700を示すフローチャートを示す。方法1700の動作は、図1および図2を参照して説明されたような基地局105などのデバイスまたはその構成要素によって実施され得る。たとえば、方法1700の動作は、本明細書で説明されるように、基地局フレーム構造マネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１６４】
ブロック1705において、基地局105は、図2〜図4を参照して上で説明されたように、DL制御メッセージの機能を構成することができ、その機能は、sPUCCHのトリガ、フレーム構造の指示、ePUCCHのトリガ、またはクロスTxOPグラントのトリガのうちの少なくとも1つを含む。いくつかの例では、ブロック1705の動作は、図10および図11を参照して説明されたように、制御メッセージ機能構成要素によって実行され得る。
【０１６５】
ブロック1710において、基地局105は、図2〜図4を参照して上で説明されたように、DL制御メッセージの機能に基づいてDL制御メッセージのダウンリンクDCIを選択し得る。いくつかの例では、ブロック1710の動作は、図10および図11を参照して説明されたように、DL制御メッセージ構成要素によって実行され得る。
【０１６６】
ブロック1715において、基地局105は、図2〜図4を参照して上で説明されたように、DL制御メッセージを送信し得る。いくつかの例では、ブロック1715の動作は、図10および図11を参照して説明されたように、DL制御メッセージ構成要素によって実行され得る。
【０１６７】
図18は、本開示の様々な態様による、MulteFireのためのフレーム構造シグナリングのための方法1800を示すフローチャートを示す。方法1800の動作は、図1および図2を参照して説明されたような基地局105などのデバイスまたはその構成要素によって実施され得る。たとえば、方法1800の動作は、本明細書で説明されるように、基地局フレーム構造マネージャによって実行され得る。いくつかの例では、基地局105は、以下で説明される機能を実行するようにデバイスの機能要素を制御するためのコードのセットを実行し得る。加えて、または代わりに、基地局105は、以下で説明される機能の態様を、専用ハードウェアを使用して実行し得る。
【０１６８】
ブロック1805において、基地局105は、図2〜図4を参照して上で説明されたように、監視されるべきDRSサブフレームの時間長を特定し得る。いくつかの例では、ブロック1805の動作は、図10および図11を参照して説明されたように、DRS構成要素によって実行され得る。
【０１６９】
ブロック1810において、基地局105は、図2〜図4を参照して上で説明されたように、システム情報メッセージの中のDRSサブフレームの時間長の指示を送信し得る。いくつかの例では、ブロック1810の動作は、図10および図11を参照して説明されたようなシステム情報構成要素によって実行され得る。
【０１７０】
ブロック1815において、基地局105は、図2〜図4を参照して上で説明されたように、DRSサブフレームの時間長の間DRSを送信し得る。いくつかの例では、ブロック1815の動作は、図10および図11を参照して説明されたように、DRS構成要素によって実行され得る。
【０１７１】
これらの方法は、可能な実装形態について説明しており、動作およびステップは、他の実装形態が可能であるように再構成されるか、または別の方法で修正されることがあることに留意されたい。いくつかの例では、方法のうちの2つ以上からの態様が組み合わされることがある。これらの方法は例示的な実装形態にすぎず、これらの方法の動作が、他の実装形態が可能であるように再構成され得るかまたは別の方法で修正され得ることに留意されたい。たとえば、方法の各々の態様は、他の方法のステップもしくは態様、または本明細書で説明される他のステップもしくは技法を含むことがある。したがって、本開示の態様は、MulteFireのためのフレーム構造シグナリングを実現し得る。
【０１７２】
本明細書での説明は、当業者が本開示を作成または使用することを可能にするために与えられる。本開示に対する様々な修正は、当業者に容易に明らかになり、本明細書で定義される一般原理は、本開示の範囲を逸脱することなく他の変形形態に適用され得る。したがって、本開示は、本明細書で説明される例および設計に限定されるべきではなく、本明細書で開示される原理および新規の特徴と一致する最も広い範囲を与えられるべきである。
【０１７３】
本明細書で説明される機能は、ハードウェア、プロセッサによって実行されるソフトウェア、ファームウェア、またはそれらの任意の組合せで実装され得る。プロセッサによって実行されるソフトウェアにおいて実装される場合、機能は、1つまたは複数の命令またはコードとしてコンピュータ可読媒体上に記憶され得るか、またはコンピュータ可読媒体を介して送信され得る。他の例および実装形態が、本開示および添付の特許請求の範囲内および趣旨内にある。たとえば、ソフトウェアの性質に起因して、上で説明された機能は、プロセッサによって実行されるソフトウェア、ハードウェア、ファームウェア、ハードワイヤリング、またはこれらのいずれかの組合せを使用して実施され得る。機能を実施する特徴は、機能の部分が異なる物理的位置において実施されるように分散されることを含めて、様々な位置に物理的に配置され得る。特許請求の範囲内を含む、本明細書で使用される「および/または」という用語は、2つ以上の項目のリストにおいて使用されるとき、列挙される項目のうちのいずれか1つが単独で利用され得ること、または列挙される項目のうちの2つ以上の任意の組合せが利用され得ることを意味する。たとえば、組成が構成要素A、B、および/またはCを含むものとして説明される場合、組成は、Aのみ、Bのみ、Cのみ、AとBとの組合せ、AとCとの組合せ、BとCとの組合せ、またはAとBとCとの組合せを含み得る。また、特許請求の範囲を含めて本明細書で使用される場合、項目のリスト(たとえば、「のうちの少なくとも1つ」または「のうちの1つまたは複数」などの句で終わる項目のリスト)において使用される「または」は、たとえば、項目のリスト「のうちの1つまたは複数」を指す句が単一のメンバーを含むそれらの項目の任意の組合せを指すような包括的リストを示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０１７４】
本明細書で使用される、「に基づいて」という句は、条件の閉集合を指すことを企図されるものではない。たとえば、「条件Aに基づいて」として説明される例示的なステップは、本開示の範囲から逸脱することなく、条件Aと条件Bの両方に基づいてもよい。言い換えれば、本明細書で使用される「に基づいて」という句は、「に少なくとも部分的に基づいて」という句と同様に解釈されるものとする。
【０１７５】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を担持もしくは記憶するために使用され、汎用コンピュータもしくは専用コンピュータまたは汎用プロセッサもしくは専用プロセッサによってアクセスされ得る任意の他の非一時的媒体を備え得る。また、いかなる接続もコンピュータ可読媒体と適切に呼ばれる。たとえば、ソフトウェアが、同軸ケーブル、光ファイバケーブル、より対線、デジタル加入者線(「DSL」)、または、赤外線、無線、およびマイクロ波などのワイヤレス技術を使用してウェブサイト、サーバ、または他のリモートソースから送信される場合、同軸ケーブル、光ファイバケーブル、より対線、DSL、または、赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ここで、ディスク(disk)は、通常、データを磁気的に再生し、ディスク(disc)は、データをレーザーで光学的に再生する。上記のものの組合せも、コンピュータ可読媒体の範囲内に含まれる。
【０１７６】
本明細書で説明される技法は、CDMA、TDMA、FDMA、OFDMA、シングルキャリア周波数分割多元接続(SC-FDMA)、および他のシステムなどの、様々なワイヤレス通信システムのために使用され得る。「システム」および「ネットワーク」という用語は、しばしば、互換的に使用される。CDMAシステムは、CDMA2000、Universal Terrestrial Radio Access(UTRA)などの無線技術を実装し得る。CDMA2000は、IS-2000、IS-95、およびIS-856規格をカバーする。IS-2000リリース0およびAは、通常、CDMA2000 1X、1Xなどと呼ばれる。IS-856(TIA-856)は、一般にCDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile communications(GSM(登録商標))などの無線技術を実装し得る。OFDMAシステムは、Ultra Mobile Broadband(UMB)、Evolved UTRA(E-UTRA)、IEEE802.11、IEEE802.16(WiMAX)、IEEE802.20、Flash-OFDMなどの無線技術を実装し得る。UTRAおよびE-UTRAは、Universal Mobile Telecommunicationsシステム(Universal Mobile Telecommunications System(UMTS))の一部である。3GPP LTEおよびLTE-advanced(LTE-A)は、E-UTRAを使用するUMTSの新たなリリースである。UTRA、E-UTRA、UMTS、LTE、LTE-a、およびGSM(登録商標)は、「第3世代パートナーシッププロジェクト」(3GPP)と称する団体による文書に記載されている。CDMA2000およびUMBは、「第3世代パートナーシッププロジェクト2」(3GPP2)と称する団体による文書に記載されている。本明細書で説明される技法は、上述されたシステムおよび無線技術ならびに他のシステムおよび無線技術に使用され得る。しかしながら、本明細書での説明は例としてLTEシステムについて説明し、上の説明の大部分でLTE用語が使用されるが、本技法は、LTE適用例以外に適用可能である。
【０１７７】
本明細書で説明されるネットワークを含むLTE/LTE-Aネットワークでは、evolved node B(eNB)という用語は一般に、基地局を表すために使用されることがある。本明細書で説明される1つまたは複数のワイヤレス通信システムは、異なるタイプのeNBが様々な地理的領域にカバレッジを提供する異種LTE/LTE-Aネットワークを含み得る。たとえば、各eNBまたは基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア(CC)、またはキャリアもしくは基地局のカバレッジエリア(たとえば、セクタなど)を表すために使用され得る3GPP用語である。
【０１７８】
基地局は、基地トランシーバ局、無線基地局、アクセスポイント(AP)、無線トランシーバ、NodeB、eNodeB(eNB)、Home NodeB、Home eNodeB、もしくは何らかの他の適切な用語を含むことがあり、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロセル基地局またはスモールセル基地局)を含み得る。本明細書で説明されるUEは、マクロeNB、スモールセルeNB、中継基地局などを含む、様々なタイプの基地局およびネットワーク機器と通信することが可能であり得る。異なる技術のための重複する地理的カバレッジエリアがあり得る。いくつかの場合、異なるカバレッジエリアが、異なる通信技術と関連付けられることがある。いくつかの場合、ある通信技術のためのカバレッジエリアが、別の技術と関連付けられるカバレッジエリアと重複することがある。異なる技術が、同じ基地局または異なる基地局と関連付けられることがある。
【０１７９】
マクロセルは一般に、比較的大きい地理的エリア(たとえば、半径数キロメートル)をカバーし、サービスに加入しているUEによるネットワークプロバイダとの無制限アクセスを可能にし得る。スモールセルは、マクロセルと比較して、同じまたは異なる(たとえば、免許、免許不要などの)周波数帯域内でマクロセルとして動作し得る低電力基地局である。スモールセルは、様々な例に従って、ピコセル、フェムトセル、およびマイクロセルを含み得る。ピコセルは、たとえば、小さい地理的エリアをカバーすることができ、サービスに加入しているUEによるネットワークプロバイダとの無制限アクセスを可能にし得る。フェムトセルも、小さい地理的エリア(たとえば、自宅)をカバーすることができ、フェムトセルとの関連性を有するUE(たとえば、限定加入者グループ(CSG)の中のUE、自宅内のユーザのためのUEなど)による制限付きアクセスを提供し得る。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア(CC))をサポートし得る。UEは、マクロeNB、スモールセルeNB、中継基地局などを含む、様々なタイプの基地局およびネットワーク機器と通信することが可能であり得る。
【０１８０】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、各基地局は異なるフレームタイミングを有することがあり、それぞれに異なる基地局からの送信は時間的に整合されないことがある。本明細書で説明される技法は、同期動作または非同期動作のいずれかに使用され得る。
【０１８１】
本明細書で説明されるDL伝送は、順方向リンク伝送とも呼ばれることがあり、UL伝送は、逆方向リンク伝送とも呼ばれることがある。たとえば、図1のワイヤレス通信システム100を含む、本明細書で説明する各通信リンクは、1つまたは複数のキャリアを含むことがあり、各キャリアは、複数のサブキャリア(たとえば、異なる周波数の波形信号)で構成される信号であり得る。各々の変調された信号は、異なるサブキャリア上で送信されることがあり、制御情報(たとえば、基準信号、制御チャネルなど)、オーバーヘッド情報、ユーザデータなどを搬送することがある。本明細書で説明される通信リンク(たとえば、図1の通信リンク125)は、(たとえば、対スペクトルリソースを使用する)周波数分割複信(FDD)動作、または(たとえば、不対スペクトルリソースを使用する)時分割複信(TDD)動作を使用して、双方向通信を送信し得る。フレーム構造が、FDD(たとえば、フレーム構造タイプ1)およびTDD(たとえば、フレーム構造タイプ2)のために定義され得る。
【０１８２】
したがって、本開示の態様は、MulteFireのためのフレーム構造シグナリングを実現し得る。これらの方法は、可能な実装形態について説明しており、動作およびステップは、他の実装形態が可能であるように再構成されるか、または別の方法で修正されることがあることに留意されたい。いくつかの例では、方法のうちの2つ以上からの態様が組み合わされることがある。
【０１８３】
本明細書の本開示に関して説明される様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または他の任意のそのような構成)として実装され得る。したがって、本明細書で説明される機能は、1つまたは複数の他の処理ユニット(または、コア)によって、少なくとも1つの集積回路(IC)上で実行され得る。様々な例では、当技術分野で知られている任意の方法でプログラムされ得る様々なタイプのIC(たとえば、構造化/プラットフォームASIC、FPGA、または別のセミカスタムIC)が使用され得る。各ユニットの機能はまた、全体的または部分的に、1つまたは複数の汎用プロセッサまたは特定用途向けプロセッサによって実行されるようにフォーマットされた、メモリの中に組み込まれた命令を用いて実装され得る。
【０１８４】
添付の図では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書で使用される場合、説明は、第2の参照ラベルにかかわらず、同じ第1の参照ラベルを有する同様の構成要素のうちのいずれにも適用可能である。
【符号の説明】
【０１８５】
100  ワイヤレス通信システム
105、105-a、105-b、105-c、105-e  基地局
110  地理的カバレッジエリア
115、115-a、115-b、115-c、115-d  UE
125  通信リンク
130  コアネットワーク
132  バックホールリンク
134  バックホールリンク
200  プロセスフロー
300  プロセスフロー
400  プロセスフロー
500  ワイヤレスデバイス
505  受信機
510  送信機
515  UEフレーム構造マネージャ
600  ワイヤレスデバイス
605  受信機
610  UEフレーム構造マネージャ
615  DL制御メッセージ構成要素
620  制御チャネルタイプ構成要素
625  UL送信構成要素
630  制御メッセージ機能構成要素
635  システム情報構成要素
640  DRS構成要素
645  送信機
700  UEフレーム構造マネージャ
705  制御チャネルタイプ構成要素
710  UL送信構成要素
715  ULグラント構成要素
720  DL制御メッセージ構成要素
725  制御メッセージ機能構成要素
730  デコーダ
735  クロスTxOP構成構成要素
740  システム情報構成要素
745  DRS構成要素
800  システム
805  UEフレーム構造マネージャ
810  メモリ
815  ソフトウェア
820  プロセッサ
825  トランシーバ
830  アンテナ
835  ECCモジュール
900  ワイヤレスデバイス
905  受信機
910  基地局フレーム構造マネージャ
915  送信機
1000  ワイヤレスデバイス
1005  受信機
1010  基地局フレーム構造マネージャ
1015  制御チャネルタイプ構成要素
1020  DL制御メッセージ構成要素
1025  UL送信構成要素
1030  制御メッセージ機能構成要素
1035  システム情報構成要素
1040  DRS構成要素
1045  送信機
1100  基地局フレーム構造マネージャ
1105  制御チャネルタイプ構成要素
1110  UL送信構成要素
1115  ULグラント構成要素
1120  制御メッセージ機能構成要素
1125  DL制御メッセージ構成要素
1130  クロスTxOP構成構成要素
1140  システム情報構成要素
1145  DRS構成要素
1200  ワイヤレスシステム
1205  基地局フレーム構造マネージャ
1210  メモリ
1215  ソフトウェア
1220  プロセッサ
1225  トランシーバ
1230  アンテナ
1235  基地局通信モジュール
1240  ネットワーク通信モジュール
1300  方法
1400  方法
1500  方法
1600  方法
1700  方法
1800  方法
【図１】
2019515537.tif 000003
【図２】
2019515537.tif 000004
【図３】
2019515537.tif 000005
【図４】
2019515537.tif 000006
【図５】
2019515537.tif 000007
【図６】
2019515537.tif 000008
【図７】
2019515537.tif 000009
【図８】
2019515537.tif 000010
【図９】
2019515537.tif 000011
【図１０】
2019515537.tif 000012
【図１１】
2019515537.tif 000013
【図１２】
2019515537.tif 000014
【図１３】
2019515537.tif 000015
【図１４】
2019515537.tif 000016
【図１５】
2019515537.tif 000017
【図１６】
2019515537.tif 000018
【図１７】
2019515537.tif 000019
【図１８】
2019515537.tif 000020
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有無線周波数スペクトル帯域のリソースの第1のセットを使用して、ダウンリンク(DL)制御メッセージを受信するステップと、
前記DL制御メッセージのダウンリンク制御情報(DCI)のフォーマットを特定するステップと、
前記DCIの前記特定されたフォーマットに少なくとも一部基づいて、前記DL制御メッセージの機能を決定するステップと
を備え、前記DL制御メッセージの前記機能がアップリンク送信のトリガまたはフレーム構造の指示のうちの少なくとも1つを備える、方法。
【請求項２】
前記DL制御メッセージの制御チャネルタイプを特定するステップと、
前記制御チャネルタイプに少なくとも一部基づいて、アップリンク(UL)送信の開始時間を決定するステップと
をさらに備える、請求項1に記載の方法。
【請求項３】
ユーザ機器(UE)能力と前記制御チャネルタイプの一方または両方に少なくとも一部基づいて、前記UL送信の期間を決定するステップをさらに備える、請求項2に記載の方法。
【請求項４】
前記期間の間にULメッセージを送信するステップをさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項3に記載の方法。
【請求項５】
前記DL制御メッセージを受信する前に物理アップリンク共有チャネル(PUSCH)送信のためのグラントを受信するステップをさらに備える、請求項1に記載の方法。
【請求項６】
クロス送信機会(TxOP)グラントを受信するステップであって、前記DL制御メッセージの前記機能がクロスTxOPグラントのトリガであり、前記クロスTxOPグラントが前記クロスTxOPグラントのトリガの前に受信される、ステップと、
前記クロスTxOPグラントおよび前記クロスTxOPグラントのトリガに応答してULメッセージを送信するステップと
をさらに備える、請求項1に記載の方法。
【請求項７】
前記クロスTxOPグラントのトリガの位置を示すクロスTxOP構成を受信するステップをさらに備える、請求項6に記載の方法。
【請求項８】
前記クロスTxOPグラントのトリガが、前記DL制御メッセージの単一のビットを備える、請求項6に記載の方法。
【請求項９】
前記クロスTxOPグラントのトリガが、複数のクロスTxOPグラントに対応する前記DL制御メッセージの複数のビットを備える、請求項6に記載の方法。
【請求項１０】
前記DL制御メッセージが、共通物理ダウンリンク制御チャネル(C-PDCCH)である、請求項1に記載の方法。
【請求項１１】
前記アップリンク送信のトリガまたは前記フレーム構造の指示のうちの前記少なくとも1つが、短物理アップリンク制御チャネル(sPUCCH)のトリガ、増強PUCCH(ePUCCH)のトリガ、またはクロス送信機会(TxOP)グラントのトリガのうちの少なくとも1つを備える、請求項1に記載の方法。
【請求項１２】
ワイヤレス通信の方法であって、
ダウンリンク(DL)制御メッセージの機能を構成するステップであって、前記DL制御メッセージの前記機能がアップリンク送信のトリガまたはフレーム構造の指示のうちの少なくとも1つを備える、ステップと、
前記DL制御メッセージの前記機能に少なくとも一部基づいて、前記DL制御メッセージのダウンリンク制御情報(DCI)のフォーマットを選択するステップと、
共有無線周波数スペクトル帯域のリソースの第1のセットを使用して、前記DL制御メッセージを送信するステップと
を備える、方法。
【請求項１３】
前記DL制御メッセージの制御チャネルタイプを特定するステップと、
前記制御チャネルタイプに少なくとも一部基づいて、アップリンク(UL)送信の開始時間を決定するステップと
をさらに備える、請求項12に記載の方法。
【請求項１４】
ユーザ機器(UE)能力と前記制御チャネルタイプの一方または両方に少なくとも一部基づいて、前記UL送信の期間を決定するステップをさらに備える、請求項13に記載の方法。
【請求項１５】
前記期間の間にULメッセージを受信するステップをさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項14に記載の方法。
【請求項１６】
前記DL制御メッセージを送信する前に物理アップリンク共有チャネル(PUSCH)送信のためのグラントを送信するステップをさらに備える、請求項12に記載の方法。
【請求項１７】
クロス送信機会(TxOP)グラントを送信するステップであって、前記DL制御メッセージの前記機能がクロスTxOPグラントのトリガであり、前記クロスTxOPグラントが前記クロスTxOPグラントのトリガの前に送信される、ステップと、
前記クロスTxOPグラントおよび前記クロスTxOPグラントのトリガに応答してアップリンク(UL)メッセージを受信するステップと
をさらに備える、請求項12に記載の方法。
【請求項１８】
前記クロスTxOPグラントのトリガの位置を示すクロスTxOP構成を送信するステップをさらに備える、請求項17に記載の方法。
【請求項１９】
前記クロスTxOPグラントのトリガが、前記DL制御メッセージの単一のビットを備える、請求項17に記載の方法。
【請求項２０】
前記クロスTxOPグラントのトリガが、複数のクロスTxOPグラントに対応する前記DL制御メッセージの複数のビットを備える、請求項17に記載の方法。
【請求項２１】
前記DL制御メッセージが、共通物理ダウンリンク制御チャネル(C-PDCCH)である、請求項12に記載の方法。
【請求項２２】
前記アップリンク送信のトリガまたは前記フレーム構造の指示のうちの前記少なくとも1つが、短物理アップリンク制御チャネル(sPUCCH)のトリガ、増強PUCCH(ePUCCH)のトリガ、またはクロス送信機会(TxOP)グラントのトリガのうちの少なくとも1つを備える、請求項12に記載の方法。
【請求項２３】
ワイヤレス通信のための装置であって、
共有無線周波数スペクトル帯域のリソースの第1のセットを使用して、ダウンリンク(DL)制御メッセージを受信するための手段と、
前記DL制御メッセージのダウンリンク制御情報(DCI)のフォーマットを特定するための手段と、
前記DCIの前記特定されたフォーマットに少なくとも一部基づいて、前記DL制御メッセージの機能を決定するための手段と
を備え、前記DL制御メッセージの前記機能がアップリンク送信のトリガまたはフレーム構造の指示のうちの少なくとも1つを備える、装置。
【請求項２４】
前記DL制御メッセージの制御チャネルタイプを特定するための手段と、
前記制御チャネルタイプに少なくとも一部基づくアップリンク(UL)送信の開始時間と、ユーザ機器(UE)能力および前記制御チャネルタイプの一方または両方に少なくとも一部基づく前記UL送信の期間との、一方または両方を決定するための手段とをさらに備える、請求項23に記載の装置。
【請求項２５】
前記期間の間にULメッセージを送信するための手段をさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項24に記載の装置。
【請求項２６】
クロス送信機会(TxOP)グラントを受信するための手段であって、前記DL制御メッセージの前記機能がクロスTxOPグラントのトリガであり、前記クロスTxOPグラントを受信するための前記手段が前記クロスTxOPグラントのトリガの前に前記クロスTxOPグラントを受信するように動作可能である、手段と、
前記クロスTxOPグラントおよび前記クロスTxOPグラントのトリガに応答してULメッセージを送信するための手段と
をさらに備える、請求項23に記載の装置。
【請求項２７】
ワイヤレス通信のための装置であって、
ダウンリンク(DL)制御メッセージの機能を構成するための手段であって、前記DL制御メッセージの前記機能がアップリンク送信のトリガまたはフレーム構造の指示のうちの少なくとも1つを備える、手段と、
前記DL制御メッセージの前記機能に少なくとも一部基づいて、前記DL制御メッセージのダウンリンク制御情報(DCI)のフォーマットを選択するための手段と、
共有無線周波数スペクトル帯域のリソースの第1のセットを使用して、前記DL制御メッセージを送信するための手段と
を備える、装置。
【請求項２８】
前記DL制御メッセージの制御チャネルタイプを特定するための手段と、
前記制御チャネルタイプに少なくとも一部基づくアップリンク(UL)送信の開始時間と、ユーザ機器(UE)能力および前記制御チャネルタイプの一方または両方に少なくとも一部基づく前記UL送信の期間との、一方または両方を決定するための手段と
をさらに備える、請求項27に記載の装置。
【請求項２９】
前記期間の間にULメッセージを受信するための手段をさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項28に記載の装置。
【請求項３０】
クロス送信機会(TxOP)グラントを送信するための手段であって、前記DL制御メッセージの前記機能がクロスTxOPグラントのトリガであり、前記クロスTxOPグラントを送信するための前記手段が前記クロスTxOPグラントのトリガの前に前記クロスTxOPグラントを送信するように動作可能である、手段と、
前記クロスTxOPグラントおよび前記クロスTxOPグラントのトリガに応答してアップリンク(UL)メッセージを受信するための手段と
をさらに備える、請求項27に記載の装置。
【国際調査報告】
2019515537.tif 000021
2019515537.tif 000022
2019515537.tif 000023